(57)【要約】  本発明は、無線充電受信装置及び移動端末を提供する。無線充電受信装置は、コイルと、第一整流モジュールと、第二整流モジュールと、充電モジュールと、を含む。コイルは、第一端、第二端及び中間タップを含み、第一端と第二端と間のコイルは第一電圧を提供し、第一端と中間タップとの間のコイルは第二電圧を提供する。第一整流モジュールはコイルの第一端及び第二端に接続され、第一無線充電モードに適合するように、第一整流モジュールの作動電圧と第一電圧とが協力する。第二整流モジュールはコイルの第一端及び中間タップに接続され、第二無線充電モードに適合するように、第二整流モジュールの作動電圧と第二電圧とが協力する。充電モジュールは、第一整流モジュール及び第二整流モジュールに接続され、第一整流モジュール又は第二整流モジュールを選択してバッテリを充電するために用いられる。被充電機器が二種以上の無線充電モードと互換性を有することにする。
2021524221.tif 000002
【特許請求の範囲】
【請求項１】
コイルと、第一整流モジュールと、第二整流モジュールと、充電モジュールと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一整流モジュールは前記コイルの第一端及び第二端に接続され、第一無線充電モードに適合するように、前記第一整流モジュールの作動電圧と前記第一電圧とが協力し、
前記第二整流モジュールは前記コイルの第一端及び中間タップに接続され、第二無線充電モードに適合するように前記第二整流モジュールの作動電圧と前記第二電圧とが協力し、
前記充電モジュールは前記第一整流モジュール及び前記第二整流モジュールに接続され、前記第一整流モジュール又は前記第二整流モジュールを選択してバッテリを充電するために用いられる、
ことを特徴とする無線充電受信装置。
【請求項２】
前記無線充電受信装置は、無線充電送信装置と通信して現在の無線充電モードを獲得するために用いられるモード判断モジュールをさらに含む、
ことを特徴とする請求項１に記載の無線充電受信装置。
【請求項３】
前記無線充電受信装置は、第一スイッチ及び第二スイッチと、制御モジュールと、をさらに含み、
前記第一スイッチ及び前記第二スイッチは別々に前記第一整流モジュール及び前記第二整流モジュールに接続され、
前記制御モジュールは現在の無線充電モードに基づいて前記第一スイッチ又は前記第二スイッチがオン状態になるように制御するために用いられる、
ことを特徴とする請求項１に記載の無線充電受信装置。
【請求項４】
前記中間タップの数量は複数であり、前記第二整流モジュールの数量も複数である、
ことを特徴とする請求項１に記載の無線充電受信装置。
【請求項５】
前記第一整流モジュール及び前記第二整流モジュールの一方が作動すると、前記第一整流モジュール及び前記第二整流モジュールの他方は作動を停止する、
ことを特徴とする請求項１に記載の無線充電受信装置。
【請求項６】
請求項１〜５のいずれか一項に記載の無線充電受信装置を含む、
ことを特徴とする移動端末。
【請求項７】
コイルと、第一スイッチと、第二スイッチと、整流モジュールと、充電モジュールと、制御モジュールと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一スイッチは、前記コイルの第二端に接続され、
前記第二スイッチは、前記コイルの中間タップに接続され、
前記整流モジュールは別々に前記第一スイッチ及び前記第二スイッチに接続され、第一無線充電モードに適合するように、前記整流モジュールの作動電圧と前記第一電圧とが協力し、第二無線充電モードに適合するように、前記整流モジュールの作動電圧と前記第二電圧とが協力し、
前記充電モジュールは、前記整流モジュールに接続されて、バッテリを充電し、
前記制御モジュールは、前記第一スイッチ及び前記第二スイッチを制御するために用いられる、
ことを特徴とする無線充電受信装置。
【請求項８】
前記無線充電受信装置は、無線充電送信装置と通信して現在の無線充電モードを獲得するために用いられるモード判断モジュールをさらに含む、
ことを特徴とする請求項７に記載の無線充電受信装置。
【請求項９】
前記現在の無線充電モードが第一無線充電モードである場合、前記制御モジュールは前記第一スイッチがオン状態になるように且つ前記第二スイッチがオフ状態になるように制御し、
前記現在の無線充電モードが第二無線充電モードである場合、前記制御モジュールは前記第一スイッチがオフ状態になるように且つ前記第二スイッチがオン状態になるように制御する、
ことを特徴とする請求項８に記載の無線充電受信装置。
【請求項１０】
前記中間タップの数量は複数であり、前記第二スイッチの数量も複数である、
ことを特徴とする請求項７に記載の無線充電受信装置。
【発明の詳細な説明】
【技術分野】
【０００１】
本発明は、無線充電技術分野に関し、さらに具体的に、無線充電受信装置、移動端末及び別の無線充電受信装置に関する。
【背景技術】
【０００２】
現在、充電技術分野では、被充電機器は主に有線充電方式で充電されている。
【０００３】
携帯電話を例に挙げると、現在、携帯電話は依然として主に有線充電方式で充電されている。具体的には、携帯電話を充電することを必要とする場合、ユニバーサルシリアルバス（ｕｎｉｖｅｒｓａｌ ｓｅｒｉａｌ ｂｕｓ，ＵＳＢ）ケーブルなどの充電ケーブルによって携帯電話と電源装置を接続することができ、且つこの充電ケーブルによって電源装置の出力電力を携帯電話に伝送して、携帯電話のバッテリを充電する。
【０００４】
被充電機器にとって、有線充電方式は充電ケーブルを使用することを必要とするので、充電準備段階の作業が煩雑になる。従って、無線充電方式は、ユーザーの間で人気が高まっている。しかしながら、従来の無線充電方式の互換性は比較的に低いので、改善する必要がある。
【発明の概要】
【０００５】
本出願は、少なくとも上述した背景技術に存在する１つの技術問題をある程度解決することを目的とする。このため、本出願の第一目的は無線充電受信装置を提供し、コイルに中間タップを追加し且つ対応する整流モジュールを追加することにより、被充電機器に異なる充電モードを提供し、被充電機器が二種以上の無線充電モードと互換性を有することにして、優れる互換性を有する。
【０００６】
本出願の第二目的は、移動端末を提供する。
【０００７】
本出願の第三目的は、別の無線充電受信装置を提供する。
【０００８】
上述した目的を達成するために、本出願の第一態様において、無線充電受信装置が提供される。無線充電受信装置は、コイルと、第一整流モジュールと、第二整流モジュールと、充電モジュールと、を含む。コイルは、第一端、第二端及び中間タップを含み、第一端と第二端と間のコイルは第一電圧を提供し、第一端と中間タップとの間のコイルは第二電圧を提供する。第一整流モジュールはコイルの第一端及び第二端に接続され、第一無線充電モードに適合するように、第一整流モジュールの作動電圧と第一電圧とが協力する。第二整流モジュールはコイルの第一端及び中間タップに接続され、第二無線充電モードに適合するように、第二整流モジュールの作動電圧と第二電圧とが協力する。充電モジュールは、第一整流モジュール及び第二整流モジュールに接続され、第一整流モジュール又は第二整流モジュールを選択してバッテリを充電するために用いられる。
【０００９】
本出願の実施形態に係わる無線充電受信装置において、コイルの第一端と第二端との間に中間タップが追加され、第一端と第二端のと間のコイルは第一電圧を提供し、第一端と中間タップとの間のコイルは第二電圧を提供し、且つ対応する整流モジュールが追加され、第一整流モジュールはコイルの第一端及び第二端に接続され、第一無線充電モードに適合するように、第一整流モジュールの作動電圧と第一電圧とが協力し、第二整流モジュールはコイルの第一端及び中間タップに接続され、第二無線充電モードに適合するように、第二整流モジュールの作動電圧と第二電圧とが協力し、且つ充電モジュールによって第一整流モジュール又は第二整流モジュールを選択してバッテリを充電することにより、被充電機器は二種以上の無線充電モードと互換性を有し、優れる互換性を有する。
【００１０】
さらに、本出願の実施形態に係わる無線充電受信装置は、以下の追加された技術的特徴を有することもできる。
本出願の１つの実施形態において、無線充電受信装置は、無線充電送信装置と通信して現在の無線充電モードを獲得するために用いられるモード判断モジュールをさらに含む。
本出願の１つの実施形態において、無線充電受信装置は、第一スイッチ及び第二スイッチと、制御モジュールと、をさらに含み、第一スイッチ及び第二スイッチは別々に第一整流モジュール及び第二整流モジュールに接続され、制御モジュールは現在の無線充電モードに基づいて第一スイッチ又は第二スイッチがオンになるように制御するために用いられる。
【００１１】
本出願の１つの実施形態において、中間タップの数量は複数であり、第二整流モジュールの数量も複数である。
【００１２】
本出願の１つの実施形態において、第一整流モジュール及び第二整流モジュールの一方が作動すると、第一整流モジュール及び第二整流モジュールの他方は作動を停止する。
【００１３】
上述した目的を達成するために、本出願の第二態様において、移動端末が提供される。移動端末は、本出願の第一様態の無線充電受信装置を含む。
【００１４】
本出願の実施形態に係わる移動端末は上述した無線充電受信装置を含み、コイルに中間タップを追加し且つ対応する整流モジュールを追加することにより、被充電機器に異なる充電モードを提供し、被充電機器が二種以上の無線充電モードと互換性を有することにして、優れる互換性を有する。
【００１５】
上述した目的を達成するために、本出願の第三態様において、別の無線充電受信装置が提供される。無線充電受信装置は、コイルと、第一スイッチと、第二スイッチと、整流モジュールと、充電モジュールと、制御モジュールと、を含む。コイルは、第一端、第二端及び中間タップを含み、第一端と第二端と間のコイルは第一電圧を提供し、第一端と中間タップとの間のコイルは第二電圧を提供する。第一スイッチはコイルの第二端に接続され、第二スイッチはコイルの中間タップに接続される。整流モジュールは別々に第一スイッチ及び第二スイッチに接続され、第一無線充電モードに適合するように、整流モジュールの作動電圧と第一電圧とが協力し、第二無線充電モードに適合するように、整流モジュールの作動電圧と第二電圧とが協力する。充電モジュールは、整流モジュールに接続されて、バッテリを充電する。制御モジュールは、第一スイッチ及び第二スイッチを制御するために用いられる。
【００１６】
本出願の実施形態に係わる無線充電受信装置において、コイルの第一端と第二端との間に中間タップが追加され、第一端と第二端のと間のコイルは第一電圧を提供し、第一端と中間タップとの間のコイルは第二電圧を提供し、且つ対応するスイッチが追加され、第一スイッチはコイルの第二端に接続され、第二スイッチはコイルの中間タップに接続され、制御モジュールによって第一スイッチ及び第二スイッチを制御することにより、第一無線充電モードに適合するように、整流モジュールの作動電圧と第一電圧とが協力し、第二無線充電モードに適合するように、整流モジュールの作動電圧と第二電圧とが協力し、且つ充電モジュールは整流モジュールに接続されてバッテリを充電するので、被充電機器は二種以上の無線充電モードと互換性を有し、優れる互換性を有する。
【００１７】
さらに、本出願の実施形態に係わる無線充電受信装置は、以下の追加された技術的特徴を有することもできる。
本出願の１つの実施形態において、無線充電受信装置は、無線充電送信装置と通信して現在の無線充電モードを獲得するために用いられるモード判断モジュールをさらに含む。
【００１８】
本出願の１つの実施形態において、現在の無線充電モードが第一無線充電モードである場合、制御モジュールは第一スイッチがオンになるように且つ第二スイッチがオフになるように制御し、現在の無線充電モードが第二無線充電モードである場合、制御モジュールは第一スイッチがオフになるように且つ第二スイッチがオンになるように制御する。
【００１９】
本出願の１つの実施形態において、中間タップの数量は複数であり、第二スイッチの数量も複数である。
【図面の簡単な説明】
【００２０】
本出願の上記及び/又は追加された様態及び利点は、以下の添付された図面を参照して実施形態を説明することにより、明らかになり、理解し易くなる。
【図１】図１は、従来の無線充電システムの構造を示す概略図である。
【図２】図２は、本発明の一実施形態に係わる無線充電受信装置の構造を示す概略図である。
【図３】図３は、本発明の別の実施形態に係わる無線充電受信装置の構造を示す概略図である。
【図４】図４は、本発明のさらに別の実施形態に係わる無線充電受信装置の構造を示す概略図である。
【図５】図５は、本発明のさらに別の実施形態に係わる無線充電受信装置の構造を示す概略図である。
【図６】図６は、本発明の一実施形態に係わる無線充電受信装置の構造を示す概略図である。
【図７】図７は、本発明の別の実施形態に係わる無線充電受信装置の構造を示す概略図である。
【図８】図８は、本発明のさらに別の実施形態に係わる無線充電受信装置の構造を示す概略図である。
【図９】図９は、本発明のさらに別の実施形態に係わる無線充電受信装置の構造を示す概略図である。
【発明を実施するための形態】
【００２１】
本出願の実施形態において、無線充電技術で被充電機器を充電する。無線充電技術は充電ケーブルがなくても電力を伝送することができ、充電準備段階の操作を簡素化することができる。
【００２２】
従来の無線充電技術では、一般的に電源装置（アダプタなど）と無線充電送信装置（無線充電台座など）を接続して、前記無線充電送信装置によって電源装置の出力電力を無線方式（電磁信号又は電磁波など）で被充電機器に送信して、被充電機器に対して無線充電を行う。異なる無線充電原理によって、無線充電方式は主に３つのタイプ、即ち磁気結合（又は電磁誘導）、磁気共鳴、及び無線電波に分けられる。現在、主流の無線充電規格は、ＱＩ規格、ＰＭＡ（ｐｏｗｅｒ ｍａｔｔｅｒｓ ａｌｌｉａｎｃｅ）規格、無線電力アライアンス（ａｌｌｉａｎｃｅ ｆｏｒ ｗｉｒｅｌｅｓｓ ｐｏｗｅｒ，Ａ４ＷＰ）規格を含む。ＱＩ規格及びＰＭＡ規格はいずれも磁気結合方式で無線充電を行う。Ａ４ＷＰ規格は磁気共鳴方式で無線充電を行う。
【００２３】
以下、図１を参照して、従来の無線充電方式を紹介する。
【００２４】
図１に示されたように、無線充電システムは、電源装置１１０と、無線充電送信装置１２０と、被充電機器１３０と、を備える。無線充電送信装置１２０は、例えば、無線充電台座であることができる。被充電機器１３０は、例えば、端末であることができる。
【００２５】
電源装置１１０が無線充電送信装置１２０に接続されると、電源装置１１０の出力電流は無線充電装置１２０に伝送されることができる。無線充電送信装置１２０はその内部の無線送信回路１２１を介して電源装置１１０の出力電流を電磁信号（又は電磁波）に変換して送信することができる。例えば、無線送信回路１２１は電源装置１１０の出力電流を交流電流（ＡＣ）に変換し、且つ送信コイル又は送信アンテナ（図示せず）によって交流電流を電磁信号に変換することができる。
【００２６】
被充電機器１３０は、無線受信回路１３１によって無線送信回路１２１から送信する電磁信号を受信し、且つこの電磁信号を無線受信回路１３１の出力電圧及び出力電流に変換することができる。例えば、無線受信回路１３１は、受信コイル又は受信アンテナ１３１１及び整流回路１３１２を含むことができる。受信コイル又は受信アンテナ１３１１は、無線送信回路１２１から送信する電磁信号を交流電流に変換し、且つ整流回路１３１２によって交流電流に対して整流及び/又はフィルタリングなどの操作を行って、交流電流を無線受信回路１３１の出力電圧と出力電流に変換することができる。
【００２７】
被充電機器１３０内のバッテリ１３３の予想充電電圧及び/又は充電電流を獲得するために、無線受信回路１３１の出力電圧はバッテリ１３３の両端に直接に印加することには適していなく、先ず被充電機器１３０内の変換回路１３２によって変換することを必要とする。
【００２８】
一実施形態として、変換回路１３２は、充電集積回路（ｉｎｔｅｇｒａｔｅｄ ｃｉｒｃｕｉｔ，ＩＣ）のような充電管理モジュールであることができる。バッテリ１３３の充電過程で、変換回路１３２はバッテリ１３３の充電電圧及び/又は充電電流を管理することができる。変換回路１３２は、バッテリ１３３の充電電圧及び/又は充電電流を管理するために、電圧フィードバック機能及び/又は電流フィードバック機能を含むことができる。例えば、バッテリの充電過程は、トリクル充電段階、定電流充電段階及び定電圧充電段階のうちの少なくとも１つを含むことができる。トリクル充電段階において、変換回路１３２は電流フィードバック機能を利用して、トリクル充電段階でバッテリ１３３に流れる電流がバッテリ１３３の予想充電電流の大きさ（例えば、第一充電電流）を満足することにする。定電流充電段階において、変換回路１３２は電流フィードバック機能を利用して、定電流充電段階でバッテリ１３３に流れる電流がバッテリ１３３の予想充電電流の大きさ（例えば、第二充電電流であり、第二充電電流は第一充電電流より大きいことができる）を満足することにする。定電圧充電段階において、変換回路１３２は電圧フィードバック機能を利用して、定電圧充電段階でバッテリ１３３の両端に印加された電圧の大きさがバッテリ１３３の予想充電電圧の大きさを満足することにする。
【００２９】
一実施形態において、無線受信回路１３１の出力電圧がバッテリ１３３の予想充電電圧よりも高い場合、降圧変換後の充電電圧がバッテリ１３３の予想充電電圧需要を満たすように、変換回路１３２は無線受信回路１３１の出力電圧に対して降圧処理を行うことができる。無線受信回路１３１の出力電圧は、例えば、５Ｖの一定電圧であり、バッテリ１３３が単一のセル（リチウムバッテリセルを例に挙げると、単一のセルの充電カットオフ電圧は、一般的に４．２Ｖである）を含む場合、変換回路１３２（例えば、Ｂｕｃｋ降圧回路）は無線受信回路１３１の出力電圧に対して降圧処理を行うことができ、従って降圧してから獲得した充電電圧がバッテリ１３３の予想充電電圧需要を満たすようにする。
【００３０】
他の実施形態において、無線受信回路１３１の出力電圧がバッテリ１３３の予想充電電圧より低い場合、昇圧変換後の充電電圧がバッテリ１３３の予想充電電圧需要を満たすように、変換回路１３２は無線受信回路１３１の出力電圧に対して昇圧処理を行うことができる。無線受信回路１３１の出力電圧は、例えば、５Ｖの一定電圧であり、バッテリ１３３が直列に接続された２つ以上のセル（リチウムバッテリセルを例に挙げると、単一のセルの充電カットオフ電圧は、一般的に４．２Ｖである）を含む場合、変換回路１３２（例えば、Ｂｏｏｓｔ昇圧回路）は無線受信回路１３１の出力電圧に対して昇圧処理を行うことができ、従って昇圧してから獲得した充電電圧がバッテリ１３３の予想充電電圧需要を満たすようにする。
【００３１】
上述したように、従来の無線充電技術において、通常、無線受信回路１３１に受信コイル又は受信アンテナ１３１１及び整流回路１３１２が設置されて、無線送信回路１２１から送信する電磁信号を受信し、且つこの電磁信号をＡＣに変換し、ＡＣに対して整流及び/又はフィルタリングなどの操作を行って、ＤＣを出力してバッテリ１３３を充電する。しかしながら、受信コイル又は受信アンテナ１３１１及び整流回路１３１２は比較的に単一であるので、被充電機器１３０はただ一種の無線充電方案に適用され、例えば、ただ従来のＱＩ規格の無線充電方案に適用され、被充電機器１３０の充電互換性が低いという問題を引き起こす。
【００３２】
上述した問題を解決するために、本出願の実施形態は無線充電受信装置を提供する。無線充電受信装置は、受信コイルに中間タップを追加し（又は受信アンテナに中間位置を追加し）且つ対応する整流モジュールを追加することにより、中間タップ及び対応する整流モジュールによって被充電機器に異なる無線充電モードを提供し、被充電機器が二種以上の無線充電方案を有することにする。例えば、ＱＩ規格に基づく無線充電方案に加えて、高電圧無線充電方案（ＱＩ規格に基づく高電圧低電流の無線充電方案）も採用することができ、従って被充電機器１３０の充電互換性を効果的に向上させることができ、被充電機器の充電がさらに便利になる。
【００３３】
以下、図２を参照して、本出願の実施形態に係わる無線充電受信装置２００に対して詳細に説明する。
【００３４】
図２を参照すると、本出願の実施形態に係わる無線充電受信装置２００は、コイル２１０と、第一整流モジュール２２０と、第二整流モジュール２３０と、充電モジュール２４０と、を含む。
【００３５】
１つの実施形態において、コイル２１０は、無線充電送信装置の無線送信回路によって送信された電磁信号をＡＣに変換するために用いられる。コイル２１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、第一電圧と第二電圧は異なる。つまり、無線充電受信装置２００は無線充電送信装置から送信された電磁信号を受信すると、第一端Ａ１と第二端Ａ２と間のコイルによって電磁信号を第一ＡＣ（電圧は第一電圧である）に変換してバッテリ３００を充電し、第一端Ａ１と中間タップＡ３との間のコイルによって電磁信号を第二ＡＣ（電圧は第二電圧である）に変換してバッテリ３００を充電する。
【００３６】
説明しなければならないことは、図２に示された実施形態において、取替え方式として、コイル２１０はアンテナで替えることができる。コイル２１０第一端Ａ１、第二端Ａ２及び中間タップＡ３は、それぞれアンテナの３つの異なる位置に対応し、３つの異なる位置によって、異なる電圧範囲のＡＣを得ることができる。１つの取替え方式として、異なる周波数帯域での無線充電方式に適用するように、コイル２１０の第一端Ａ１と第二端Ａ２との間のコイルは第一周波数帯域で作動することができ、第一端Ａ１と中間タップＡ３との間のコイルは第二周波数帯域で作動することができる。
【００３７】
１つの実施形態において、第一整流モジュール２２０は、コイル２１０の第一端Ａ１及び第二端Ａ２に接続され、第一無線充電モードに適合するように、第一整流モジュール２２０の作動電圧と第一電圧とが協力する。第二整流モジュール２３０は、コイル２１０の第一端Ａ１及び中間タップＡ３に接続され、第二無線充電モードに適合するように、第二整流モジュール２３０の作動電圧と第二電圧とが協力する。本実施形態の無線充電受信装置２００は異なる無線充電モードをサポートすることができ、即ち、第一無線充電モード及び第二無線充電モードであり、第一無線充電モードは高電圧無線充電モードであり、第二無線充電モードは従来のＱＩ規格の無線充電モードである。
【００３８】
１つの実施形態において、充電モジュール２４０は、第一整流モジュール２２０及び第二整流モジュール２３０に接続され、第一整流モジュール又は第二整流モジュールを選択して被充電機器（移動端末）のバッテリ３００を充電するために用いられる。例えば、第一整流モジュール２２０は第一ＡＣに対応するように設置され、第二整流モジュール２３０は第二ＡＣに対応するように設置される。第一充電モードでバッテリ３００を充電する場合、充電モジュール２４０は第一整流モジュール２２０が作動状態になるように制御し、その結果、第一整流モジュール２２０によって、コイル２１０の第一端Ａ１と第二端Ａ２から出力される第一ＡＣを第一ＤＣに変換して、バッテリ３００を充電する。第二充電モードでバッテリ３００を充電する場合、充電モジュール２４０は第二整流モジュール２３０が作動状態になるように制御し、その結果、第二整流モジュール２３０によって、コイル２１０の第一端Ａ１と中間タップＡ３から出力される第二ＡＣを第二ＤＣに変換して、バッテリ３００を充電する。このようにして、異なる無線充電方式を実現することができ、充電の互換性を効果的に向上させ、充電はさらに便利になる。
【００３９】
本願の実施形態は、第一整流モジュール２２０及び第二整流モジュール２３０の具体的な形態を限定しないことに留意されたい。いくつかの実施形態において、第一整流モジュール２２０及び第二整流モジュール２３０は、整流回路及びフィルタ回路を含むことができ、フィルタ回路によって整流回路から出力される直流電流をフィルタリングして、安定した直流電流を獲得する。そして、第一整流モジュール２２０及び第二整流モジュール２３０の一方が作動すると、第一整流モジュール２２０及び第二整流モジュール２３０の他方は作動を停止する。換言すると、現在必要とする無線充電モードに基づいて対応する整流モジュールを選択して作動するようにして、バッテリ３００を充電し、他の整流モジュールは作動状態を停止して、他の整流モジュールが作動して後続の回路を損傷することを免れる。
【００４０】
本出願の実施形態において、無線充電受信装置２００は第一無線充電モード又は第二無線充電モードを無差別に採用して被充電機器を充電することではなく、即ち、充電モジュール２４０は第一整流モジュール２２０又は第二整流モジュール２３０を無差別に採用してバッテリ３００を充電することではなく、現在の無線充電モードを決定するために無線充電送信装置と通信する。
【００４１】
いくつかの実施形態において、図３に示されたように、無線充電受信装置２００はモード判断モジュール２５０をさらに含む。モード判断モジュール２５０は、無線充電送信装置４００と通信して現在の無線充電モードを獲得するために用いられる。具体的には、モード判断モジュール２５０は第一無線通信ユニット（図示せず）を含み、第一無線通信ユニットは、無線充電送信装置４００内の第二無線通信ユニット（図示せず）と無線通信を行って現在の無線充電モードを獲得し、且つ獲得した無線充電モードを充電モジュール２４０に伝送する。充電モジュール２４０は、受信した無線充電モードに基づいて、第一整流モジュール２２０又は第二整流モジュール２３０を選択して、バッテリ３００を充電する。
【００４２】
いくつかの実施形態において、モード判断モジュール２５０と無線充電送信装置４００（又は第一無線通信ユニットと第二無線通信ユニット）との間の無線通信は、双方向無線通信であることができる。双方向無線通信は、通常、受信者は発信者によって開始された通信要求を受信すると、発信者に応答メッセージを送信すること要求する。双方向通信メカニズムによって、通信過程はさらに安全になる。なお、本出願の実施形態は受信者及び発信者を限定しなく、いかなる一方は発信者又は受信者であることができ、且つ受信者と発信者との間の無線通信方式を限定しなく、例えば、例えば、ブルートゥース（ｂｌｕｅｔｏｏｔｈ）、無線忠実度（ｗｉｒｅｌｅｓｓ ｆｉｄｅｌｉｔｙ，Ｗｉ − Ｆｉ）、又は後方散乱（ｂａｃｋｓｃａｔｔｅｒ）変調（又は電力負荷変調）に基づいて無線通信を行うことができる。
【００４３】
いくつかの実施形態において、充電モジュール２４０は、降圧回路（図示せず）を含むことができる。降圧回路は、整流モジュールが出力するＤＣを降圧させて、第一充電電圧と第一充電電流を取得するために用いられる。第一充電電圧及び第一充電電流はバッテリ３００の予想充電電圧及び予想充電電流であることができ、バッテリ３００に直接印加することができる。
【００４４】
いくつかの実施形態において、充電モジュール２４０は、変換回路（図示せず）をさらに含むことができる。変換回路は、整流モジュールが出力するＤＣに対して電圧制御を行って、第二充電電圧及び第二充電電流を取得し、バッテリ３００を充電するために用いられる。変換回路は、電圧を安定化するために用いられる回路と、定電流及び定電圧を制御するために用いられる回路を含むことができる。電圧を安定化するために用いられる回路は整流モジュールに接続され、定電流及び定電圧を制御するために用いられる回路はバッテリ３００に接続される。
【００４５】
いくつかの実施形態において、変換回路によってバッテリ３００を充電するとき、無線充電送信装置４００は従来のＱＩ規格の無線充電モードで無線充電受信装置２００に対して無線充電することができる。この場合、モード判断モジュール２５０は、受信された無線充電送信装置４００から送信された従来のＱＩ規格の無線充電モードを充電モジュール２４０に伝送する。充電モジュール２４０は、第二整流モジュール２３０が作動するように制御する。その結果、第二整流モジュール２３０は、コイル２１０の第一端Ａ１及び中間タップＡ３から出力される第二ＡＣを第二ＤＣに変換する。第二ＤＣは変換回路によって変換されてから、バッテリ３００を充電する。
【００４６】
しかしながら、変換回路によってバッテリ３００を充電するとき、例えば、無線充電送信装置４００が２０Ｗの電力を出力して単一のセルを含むバッテリ３００を充電するとき、無線送信ユニット４２０の入力電圧は５Ｖ、入力電流は４Ａであることを必要とするが、入力電流が４Ａである場合、コイルの発熱を招く、充電効率が低下である。降圧回路を採用して単一のセルを含むバッテリ３００を充電するとき、無線送信ユニットの送信電力が変化しない場合（２０Ｗ）、無線送信ユニット４２０の入力電圧を高めることができ、無線送信ユニット４２０の入力電流を低減することができ、従ってコイルの発熱を減少し、充電効率が向上する。この場合、無線充電送信装置４００は高電圧低電流の無線充電モードを採用し、即ち高電圧無線充電モードであり、これに対応して、モード判断モジュール２５０は、受信された無線充電送信装置４００から送信された高電圧無線充電モードを充電モジュール２４０に伝送する。充電モジュール２４０は、第一整流モジュール２２０が作動するように制御する。その結果、第一整流モジュール２２０は、コイル２１０の第一端Ａ１及び第二端Ａ２から出力される第一ＡＣを第一ＤＣに変換する。第一ＤＣは降圧回路によって降圧されてから、バッテリ３００を充電する。
【００４７】
いくつかの実施形態において、降圧回路は様々な実現形式がある。例えば、降圧回路はＢｕｃｋ回路であることができ、又は降圧回路はチャージポンプ（ｃｈａｒｇｅ ｐｕｍｐ）であることができる。チャージポンプは複数のスイッチング素子から構成され、スイッチング素子に電流が流れて発生する熱は非常に小さく、電流が直接に配線に流れることとほぼ同等であるので、チャージポンプを降圧回路として使用する場合、降圧効果を達成することができるだけではなく、発熱も少ない。１つの例示として、降圧回路は、半電圧回路であることができる。降圧回路の発熱をさらに低減するために、降圧回路の入力電圧と出力電圧の比率は２：１に固定される。
【００４８】
いくつかの実施形態において、無線充電送信装置４００は、電圧変換ユニット４３０を含むことができる。電圧変換ユニット４３０は、無線送信ユニット４２０に供給される電流の電圧が予め設定された条件を満たさない場合、無線送信ユニット４２０に供給される電流に対して電圧変換するために用いられる。電圧変換ユニット４３０の昇圧倍数と降圧回路の降圧倍数は、電源装置が提供できる出力電圧、バッテリ３００が必要とする充電電圧などのパラメータに応じて設定され、両者は同じでもよく、異なってもよく、これに対して限定しない。１つの例示として、電圧変換ユニット４３０の昇圧倍数と降圧回路の降圧倍数を等しく設定することができる。例えば、電圧変換ユニット４３０は電源装置の出力電圧を２倍に昇圧するための昇圧回路であることができ、降圧回路は、整流モジュールの出力電圧を半分に減らす半電圧回路であることができる。
【００４９】
いくつかの実施形態において、電圧変換ユニット４３０の昇圧倍数と降圧回路の降圧倍数の比を１：１に設定することができ、このような設定方式によって、降圧回路の出力電圧及び出力電流はそれぞれ電源装置の出力電圧及び電源装置の出力電流と等しく、制御回路を簡素化することに有利である。一例として、バッテリ３００が必要とする充電電流は５Ａである場合、無線充電送信装置４００は検出回路によって降圧回路の出力電流が４．５Ａであることを知ると、降圧回路の出力電流が５Ａに達するように、電源装置の出力電力を調整することを必要とする。もし電圧変換ユニット４３０の昇圧倍数と降圧回路の降圧倍数の比が１：１ではないと、電源装置の出力電力を調整する際、降圧回路の現在の出力電流と期待値との間の差に基づいて、電源装置の出力電力の調整値を再び計算することを必要とする。本発明の実施形態は、電圧変換ユニット４３０の昇圧倍数と降圧回路の降圧倍数の比を１：１に設定すると、無線充電受信装置２００は無線充電送信装置４００の制御ユニット４１０に出力電流を５Ａに増加させるように通知し、従って無線充電経路のフィードバック調整方式が簡単になる。
【００５０】
いくつかの実施形態において、検出回路（図示せず）によって充電モジュール２４０から出力される充電電圧及び/又は充電電流を検出することができ、且つ充電モジュール２４０から出力される充電電圧及び/又は充電電流をモード判断モジュール２５０に伝送して、モード判断モジュール２５０によって充電モジュール２４０から出力される充電電圧及び/又は充電電流を無線充電送信装置４００にフィードバックするようにする。このように、無線充電送信装置４００は、フィードバックされた充電電圧及び/又は充電電流に応じて、無線送信回路の送信電力を調整することができ、即ち無線充電モードを調整することができる。
【００５１】
いくつかの実施形態において、無線充電受信装置２００及び無線充電送信装置４００は、無線送信ユニット４２０の送信電力を調整するために用いられる他の情報を交換することができ、例えば、バッテリ３００温度情報、降圧回路に対応する充電回路の電圧及び/又は電流のピーク値又は平均値を示す情報、電力伝送効率情報などである。
【００５２】
例えば、無線充電受信装置２００は、無線充電送信装置４００に電力伝送効率情報を送信することができる。無線充電送信装置４００は、さらに電力伝送効率情報に基づいて無線送信ユニット４２０の送信電力の調整範囲を確定するために用いられる。具体的には、電力伝送効率情報が無線送信ユニット４２０とコイル２１０との間の電力伝送効率が低いことを示す場合、無線充電送信装置４００は、無線送信ユニット４２０の送信電力の調整範囲を上げることができ、その結果、無線送信ユニット４２０の送信電力が速やかに目標送信電力に到達するようにする。
【００５３】
別の例として、整流モジュールの出力電圧及び/又は出力電流が脈動波形である場合、無線充電受信装置２００は無線充電送信装置４００に降圧回路に対応する充電回路の出力電圧及び/又は出力電流のピーク値又は平均値を示す情報を送信することができ、無線充電送信装置４００は降圧回路に対応する充電回路の出力電圧及び/又は出力電流のピーク値又は平均値がバッテリ３００の現在需要とする充電電圧及び/又は充電電流と一致するか否かを判断することができ、もし一致しないと、無線送信ユニット４２０の送信電力を調整することができる。
【００５４】
別の例として、無線充電受信装置２００は、無線充電送信装置４００にバッテリ３００の温度情報を送信することができる。バッテリ３００の温度が高すぎる場合、無線充電送信装置４００は無線送信ユニット４２０の送信電力を低減して、無線受信ユニット４２０の出力電流を減少することができ、従ってバッテリ３００の温度を低減する。
【００５５】
いくつかの実施形態において、無線充電受信装置２００と無線充電送信装置４００は、多い他の通信情報を交換することもできる。一例として、無線充電受信装置２００と無線充電送信装置４００は、安全保護、異常検出、又は故障処理に使用される情報を交換することができ、例えば、バッテリ３００の温度情報、過電圧保護又は過電流保護に入ることを指示する情報、電力伝送効率情報などである。電力伝送効率情報は、無線送信ユニット４２０とコイル２１０との間の電力伝送効率、コイル２１０と整流モジュールとの間の電力伝送効率を示すために用いられる。
【００５６】
例えば、バッテリ３００の温度が高い過ぎる場合、無線充電受信装置２００及び/又は無線充電送信装置４００は充電回路が保護状態に入るように制御することができ、例えば、充電回路を制御して無線充電を停止する。別の例では、無線充電送信装置４００は、無線充電受信装置２００から送信された過電圧保護又は過電流保護を示す情報を受信してから、送信電力を低減するか又は無線送信ユニット４２０が作動を停止するように制御することができる。さらに別の例では、無線充電送信装置４００は、無線充電受信装置２００から送信された電力伝送効率情報を受信してから、もし電力伝送効率が予め設定された閾値より低い場合、無線送信ユニット４２０が作動を停止するように制御し、ユーザーにこの事件を通知することができ、例えば、ディスプレイスクリーンによって電力伝送効率が低い過ぎると表示するか、又は指示ランプによって電力伝送効率が低い過ぎると指示して、ユーザーが無線充電環境を調整するようにする。
【００５７】
選択的に、いくつかの実施形態において、図３に示されたように、無線充電受信装置２００は、第一スイッチＫ２１、第二スイッチＫ２２及び制御モジュール２６０をさらに含む。第一スイッチＫ２１及び第二スイッチＫ２２は、それぞれ第一整流モジュール２２０及び第二整流モジュール２３０に接続される。制御モジュール２６０は、現在の無線充電モードに応じて第一スイッチＫ２１又は第二スイッチＫ２２がオン状態になるように制御するために用いられる。
【００５８】
具体的には、モード判断モジュール２５０は現在必要とする無線充電モードを獲得した後、この無線充電モードを充電モジュール２４０及び制御モジュール２６０の両方に伝送することができる。現在必要とする無線充電モードが第一無線充電モードであると仮定すると、コイル２１０の第二端Ａ２が第一整流モジュール２２０に接続されるように、制御モジュール２６０は第一スイッチＫ２１が閉じる（オン状態になる）ように制御する。充電モジュール２４０は、第一整流モジュール２２０が作動するように制御して、バッテリ３００を充電する。同時に、コイル２１０の中間タップＡ３が第二整流モジュール２３０から離れるように、制御モジュール２０１は第二スイッチＫ２２が開かれる（オフ状態になる）ように制御する。従って、第二整流モジュール２３０が誤って作動することを効果的に防止することができ、後段の回路に悪影響を与えることを回避することができる。現在必要とする無線充電モードが第二無線充電モードであると仮定すると、制御モジュール２６０は第二スイッチＫ２２が閉じるように制御する。充電モジュール２４０は、第二整流モジュール２３０が動作するように制御して、バッテリ３００を充電する。同時に、制御モジュール２６０は第一スイッチＫ２１が開かれるように制御して、第一整流モジュール２２０が誤って作動することを効果的に防止することができ、後段の回路に悪影響を与えることを回避することができる。このように、第一スイッチＫ２１及び第二スイッチＫ２２を制御することにより、第一整流モジュール２２０又は第二整流モジュール２３０が誤って作動することを効果的に防止することができ、後段の回路に悪影響を与えず、無線充電受信装置２００の作業時の安全を確保することができる。
【００５９】
なお、本出願の実施形態において、モード判断モジュール２５０及び制御モジュール２６０は、別々に設置されてもよく、充電モジュール２４０に統合されてもよい。充電モジュール２４０は、充電管理モジュールであり、無線充電受信装置２００全体に対する制御、管理等の機能が統合されることができる。
【００６０】
さらに、本出願の実施形態において、コイル２１０の中間タップＡ３及び第二整流モジュール２３０の数量は１つであることができ、複数であることもでき、具体的な数量は限定されない。
【００６１】
いくつかの実施態様において、図４に示されたように、コイル２１０は複数の中間タップを有し、これに対応して複数の第二整流モジュール２３０が提供される。コイル２１０の第一端Ａ１と異なる位置の中間タップ（Ａ３１、．．．、Ａ３Ｎなど）との間のコイルは、異なる電圧を提供する。例えば、コイル２１０の第一端Ａ１と中間タップＡ３１との間のコイルは第二電圧を提供し、．．．、コイル２１０の第一端Ａ１と中間タップＡ３Ｎとの間のコイルは第Ｎ＋１電圧を提供する。第二整流モジュール２３０１はコイル２１０の第一端Ａ１及び中間タップＡ３１に接続され、第二整流モジュール２３０１の作動電圧と第二電圧は配合して、第二無線充電モードに適合するようにする。同様に、第二整流モジュール２３０Ｎはコイル２１０の第一端Ａ１及び中間タップＡ３Ｎに接続され、第二整流モジュール２３０Ｎの作動電圧は第Ｎ＋１電圧と配合して、第Ｎ＋１無線充電モードに適合するようにする。
【００６２】
換言すると、図４に示された実施形態において、コイル２１０はＮ個の中間タップを有し、Ｎ個の第二整流モジュール２３０が含まれる（Ｎ≧２）。コイル２１０の第一端Ａ１、第二端Ａ２と第一整流モジュール２２０は、第一無線充電モード（例えば、高電圧無線充電モードである）と互換性があるように構成され、中間タップＡ３１と第二整流モジュール２３０１は、第二無線充電モードと互換性があるように構成され、．．．、中間タップＡ３Ｎと第二整流モジュール２３０Ｎは、第Ｎ＋１無線充電モード（例えば、従来のＱＩ規格の無線充電モードである）と互換性があるように構成される。無線充電受信装置２００は２つ以上の無線充電モードを提供することができ、被充電機器はさらに多い無線充電方案と互換性があり、充電をより便利にすることができる。なお、中間タップ及び第二整流モジュール２３０がすべて複数である場合、それに対応する充電制御過程は、上記の説明を参照することができ、ここでは繰り返さない。
【００６３】
他の実施形態において、１つの中間タップＡ３及び１つの第二整流モジュール２３０を設置することにより、同様に複数の中間タップ及び複数の第二整流モジュールを設置するときの機能を実現することができ、即ち図３に示された構造で図４が有する機能を実現することができる。この場合、中間タップＡ３は非固定タップであり、即ちコイル２１０の巻数は調整可能である。従って、異なる無線充電モードを採用する場合、制御モジュール２６０は、現在必要とする無線充電モードに基づいて、中間タップＡ３の位置を調整することにより、第一端Ａ１と中間タップＡ３との間のコイル２１０の巻数がちょうど現在の無線充電モードに対応する巻数と等しくなるようにするとともに、現在必要とする無線充電モードに適合するように第二整流モジュール２３０の作動電圧を調整する。このように、１つの中間タップＡ３及び１つの第二整流モジュール２３０によって様々な無線充電モードの要件を満たすことができる。複数の中間タップ及び複数の第二整流モジュールの方案と比較すると、構造が簡単であり、体積が小さく、コストが低い美点を有する。
【００６４】
換言すると、本出願の実施態様において、中間タップＡ３は非固定タップであることができ、即ちコイルの巻数は調整可能である。代わりに、複数の中間タップを設置することができ、即ちコイルの巻数を固定する。どの方式を採用するかは、実際の需要に応じて選択することができる。いくつかの実施形態において、図４に示されたように、無線充電受信装置２００は、さらにマッチングモジュール２７０を含むことができる。マッチングモジュール２７０は、コイル２１０と協同して受信された電磁信号を異なる電圧のＡＣに変換して出力するために用いられる。
【００６５】
選択的に、いくつかの実施形態において、図４に示されたように、マッチングモジュール２７０は、第一整流モジュール２２０及び少なくとも１つの第二整流モジュール２３０の入力側の共通結合点の前に設置されることができる。即ち、第一整流モジュール２２０及び少なくとも１つの第二整流モジュール２３０は１つのマッチングモジュール２７０を共有することができる。マッチングモジュール２７０はコイル２１０の第一端Ａ１と第二端Ａ２との間のコイルと協同して、電磁信号を第一電圧の第一ＡＣに変換して出力し；マッチングモジュール２７０はコイル２１０の第一端Ａ１と中間タップＡ３１との間のコイルと協同して、電磁信号を第二電圧の第二ＡＣに変換して出力し；．．．；マッチングモジュール２７０はコイル２１０の第一端Ａ１と中間タップＡ３Ｎとの間のコイルと協同して、電磁信号を第Ｎ＋１電圧の第Ｎ＋１ＡＣに変換して出力する。このように、１つのマッチングモジュール２７０を使用して、電磁信号を異なる電圧のＡＣに変換することができ、ハードウェア構造が簡単であり、コストが低い。
【００６６】
なお、第一整流モジュール２２０及び少なくとも１つの第二整流モジュール２３０は１つのマッチングモジュール２７０を共有する場合、マッチングモジュール２７０は異なる電圧要件を満たすことを必要とするので、マッチングモジュール２７０を設計し難い。従って複数のマッチングモジュール２７０を提供して、設計の困難さを低減することができる。
【００６７】
選択的に、他の実施形態において、図５に示されたように、複数のマッチングモジュール２７０が設置され、複数のマッチングモジュール２７０のそれぞれは、コイル２１０の第一端Ａ１と対応する整流モジュールとの間に設置されている。例えば、マッチングモジュール２７０１は、コイル２１０の第一端Ａ１と第一整流モジュール２２０との間に設置され、コイル２１０の第一端Ａ１と第二端Ａ２との間のコイルと協同して、電磁信号を第一電圧の第一ＡＣに変換して出力し；マッチングモジュール２７０２は、コイル２１０の第一端Ａ１と第二整流モジュール２３０１との間に設置され、コイル２１０の第一端Ａ１と中間タップＡ３１との間のコイルと協同して、電磁信号を第二電圧の第二ＡＣに変換して出力し；．．．；マッチングモジュール２７０（Ｎ＋１）は、コイル２１０の第一端Ａ１と第二整流モジュール２３０Ｎとの間に設置され、コイル２１０の第一端Ａ１と中間タップＡ３Ｎとの間のコイルと協同して、電磁信号を第Ｎ＋１電圧の第Ｎ＋１ＡＣに変換して出力する。複数のマッチングモジュール２７０によって、電磁信号を異なる電圧のＡＣに変換することができ、設計が簡単である。
【００６８】
本出願の実施形態は、マッチングモジュール２７０の具体的な形態を限定しない。いくつかの実施形態において、図４又は図５に示されたように、マッチングモジュール２７０はキャパシターであることができる。
【００６９】
本出願の実施形態に係わる無線充電受信装置は、コイルに少なくとも１つの中間タップを追加し且つ少なくとも１つの整流モジュールを追加して被充電機器（例えば、移動端末である）に異なる無線充電モードを提供し、従って被充電機器が二種以上の無線充電方案を有することができ、被充電機器の充電がさらに便利になる。
【００７０】
上述した問題を解決するために、本出願の実施形態は別の無線充電受信装置を提供する。無線充電受信装置では、受信コイルに中間タップを追加し（又は受信アンテナに中間位置を追加し）且つ対応する制御スイッチを追加することにより、中間タップ及び対応する制御スイッチによって被充電機器に異なる無線充電モードを提供し、被充電機器が二種以上の無線充電方案を有することにする。例えば、従来のＱＩ規格に基づく無線充電方案に加えて、高電圧無線充電方案も採用することができ、従って被充電機器の充電互換性を効果的に向上させることができ、被充電機器の充電がさらに便利になる。
【００７１】
以下、図６を参照して、本出願の実施形態に係わる無線充電受信装置５００に対して詳しく説明する。
【００７２】
図６に示されたように、本出願の実施形態に係わる無線充電受信装置５００は、コイル５１０と、第一スイッチＫ５１と、第二スイッチＫ５２と、整流モジュール５２０と、充電モジュール５４０と、制御モジュール５６０と、を含む。
【００７３】
コイル５１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、具体的には上述した説明を参照することができ、ここでは繰り返さない。
【００７４】
第一スイッチＫ５１はコイル５１０の第二端Ａ２に接続され、第二スイッチＫ５２はコイル５１０の中間タップＡ３に接続される。整流モジュール５２０は第一スイッチＫ５１及び第二スイッチＫ５２に接続され、第一無線充電モードに適合するように、整流モジュール５２０の作動電圧と第一電圧とが協力し、第二無線充電モードに適合するように、整流モジュール５２０の作動電圧と第二電圧とが協力する。バッテリ３００に電力を供給するように、充電モジュール５４０は整流モジュール５２０に接続される。制御モジュール５６０は、第一スイッチＫ５１及び第二スイッチＫ５２を制御するために用いられる。本実施形態及び図２に示された実施形態を比較すると、異なる無線充電モードをサポートすることができる点で同じであり、本実施形態はただ１つの整流モジュール５２０だけで異なる無線充電モードを実現することができる点で異なる。
【００７５】
具体的には、図６に示されたように、第一無線充電モードでバッテリ３００を充電する場合、コイル５１０の第二端Ａ２が整流モジュール５２０に接続されるように、制御モジュール５６０は、第一スイッチＫ５１が閉じるように制御し、且つ第二スイッチＫ５２が開かれるように制御する。このとき、コイル５１０の第一端Ａ１及び第二端Ａ２から出力される第一ＡＣは、整流モジュール５２０に伝送される。充電モジュール５４０は整流モジュール５２０が第一作動状態になるように制御して、整流モジュール５２０は第一ＡＣを第一ＤＣに変換して、バッテリ３００を充電する。第二無線充電モードでバッテリ３００を充電する場合、コイル５１０の中間タップＡ３が整流モジュール５２０に接続されるように、制御モジュール５６０は、第一スイッチＫ５１が開かれるように制御し、且つ第二スイッチＫ５２が閉じるように制御する。このとき、コイル５１０の第一端Ａ１及び中間タップＡ３から出力される第二ＡＣは、整流モジュール５２０に伝送される。充電モジュール５４０は整流モジュール５２０が第二作動状態になるように制御して、整流モジュール５２０は第二ＡＣを第二ＤＣに変換して、バッテリ３００を充電する。このようにして、第一スイッチＫ５１及び第二スイッチＫ５２によって、１つの整流モジュール５２０のみで異なる無線充電モードを実現し、異なる無線充電方案の要件を満たすことができ、充電互換性を効果的に向上させることができ、充電がより便利になる。図２に示された実施形態と比較すると、整流モジュールの使用数量を減らすことができ、コストを節約する。
【００７６】
なお、本願の実施形態において、無線充電受信装置５００は第一無線充電モード又は第二無線充電モードを無差別に採用して被充電機器を充電することではなく、即ち、制御モジュール５６０は第一スイッチＫ５１又は第二スイッチＫ５２を無差別にオン状態になるように制御することではなく、現在の無線充電モードを決定するために無線充電送信装置と通信する。
【００７７】
いくつかの実施形態において、 図７に示されたように、無線充電受信装置５００は、現在の無線充電モードを獲得するように無線充電送信装置と通信するモード判断モジュール５５０をさらに含む。具体的には、前述の説明を参照することができ、ここでは繰り返さない。
【００７８】
モード判断モジュール５５０及び制御モジュール５６０は、別々に設置されてもよく、充電モジュール５４０に統合されてもよい。充電モジュール５４０は、充電管理モジュールであり、無線充電受信装置５００全体に対する制御、管理等の機能が統合されることができる。
【００７９】
さらに、本出願の実施形態において、コイル５１０の中間タップＡ３及び第二スイッチＫ５２の数量は１つであることができ、複数であることもでき、具体的な数量は限定されない。
【００８０】
いくつかの実施形態において、図８に示されたように、コイル５１０は複数の中間タップを有し、これに対応して複数の第二スイッチが提供される。コイル５１０の第一端Ａ１と異なる位置の中間タップ（Ａ３１、．．．、Ａ３Ｎなど）との間のコイルは、異なる電圧を提供する。例えば、コイル５１０の第一端Ａ１と中間タップＡ３１との間のコイルは第二電圧を提供し、．．．、コイル５１０の第一端Ａ１と中間タップＡ３Ｎとの間のコイルは第Ｎ＋１電圧を提供する。第二スイッチＫ５２１はコイル５１０の中間タップＡ３１及び整流モジュール５２０に接続され、第二スイッチＫ５２１が閉じているとき、第二無線充電モードに適合するように、整流モジュール５２０の作動電圧と第二電圧は配合し、．．．、第二スイッチＫ５２Ｎはコイル５１０の中間タップＡ３Ｎ及び整流モジュール５２０接続され、第二スイッチＫ５２Ｎが閉じているとき、第Ｎ＋１無線充電モードに適合するように、整流モジュール５２０の作動電圧と第Ｎ＋１電圧は配合する。
【００８１】
換言すると、図８に示された実施形態において、コイル５１０はＮ個の中間タップを有し、Ｎ個の第二スイッチが含まれる（Ｎ≧２）。コイル５１０の第一端Ａ１、第二端Ａ２と整流モジュール５２０は、第一無線充電モード（例えば、高電圧無線充電モードである）と互換性があるように構成され、中間タップＡ３１及び第二スイッチＫ５２１は、第二無線充電モードと互換性があるように構成され、．．．、中間タップＡ３Ｎと第二スイッチＫ５２Ｎは、第Ｎ＋１無線充電モード（例えば、従来のＱＩ規格の無線充電モードである）と互換性があるように構成される。無線充電受信装置５００は２つ以上の無線充電モードを提供することができ、被充電機器はさらに多い無線充電方案と互換性があり、充電をより便利にすることができる。なお、中間タップ及び第二スイッチがすべて複数である場合、それに対応する充電制御過程は、上記の説明を参照することができ、ここでは繰り返さない。
【００８２】
他の実施形態において、１つの中間タップＡ３を設置することにより、同様に複数の中間タップを設置するときの機能を実現することができ、即ち図７に示された構造で図８が有する機能を実現することができる。この場合、中間タップＡ３は非固定タップであり、即ちコイル５１０の巻数は調整可能である。従って、異なる無線充電モードを採用する場合、制御モジュール５６０は、現在必要とする無線充電モードに基づいて、中間タップＡ３の位置を調整することにより、第一端Ａ１と中間タップＡ３との間のコイル５１０の巻数がちょうど現在の無線充電モードに対応する巻数と等しくなるようにするとともに、現在必要とする無線充電モードに適合するように整流モジュール５２０の作動電圧を調整する。このように、１つの中間タップＡ３によって様々な無線充電モードの要件を満たすことができる。複数の中間タップの方案と比較すると、構造が簡単であり、体積が小さく、コストが低い美点を有する。
【００８３】
換言すると、本出願の実施態様において、中間タップＡ３は非固定タップであることができ、即ちコイルの巻数は調整可能である。代わりに、複数の中間タップを設置することができ、即ちコイルの巻数を固定する。どの方式を採用するかは、実際の需要に応じて選択することができる。いくつかの実施形態において、図８に示されたように、無線充電受信装置５００はマッチングモジュール５７０を含むことができる。マッチングモジュール５７０は、コイル５１０と協同して受信された電磁信号を異なる電圧のＡＣに変換して出力するために用いられる。
【００８４】
選択的に、いくつかの実施形態において、図８に示されたように、マッチングモジュール５７０は、コイル５１０の第一端Ａ１と整流モジュール５２０との間に設置されることができる。マッチングモジュール５７０はコイル５１０の第一端Ａ１と第二端Ａ２との間のコイルと協同して、電磁信号を第一電圧の第一ＡＣに変換して出力し；マッチングモジュール５７０はコイル５１０の第一端Ａ１と中間タップＡ３１との間のコイルと協同して、電磁信号を第二電圧の第二ＡＣに変換して出力し；．．．；マッチングモジュール５７０はコイル５１０の第一端Ａ１と中間タップＡ３Ｎとの間のコイルと協同して、電磁信号を第Ｎ＋１電圧の第Ｎ＋１ＡＣに変換して出力する。このように、１つのマッチングモジュール５７０を使用して、電磁信号を異なる電圧のＡＣに変換することができ、ハードウェア構造が簡単であり、コストが低い。
【００８５】
上述した実施形態において、マッチングモジュール５７０は異なる電圧要件を満たすことを必要とするので、マッチングモジュール５７０を設計し難い。従って複数のマッチングモジュール５７０を提供して、設計の困難さを低減することができる。
【００８６】
選択的に、他の実施形態において、図９に示されたように、複数のマッチングモジュール５７０が設置され、その中において、マッチングモジュール５７０１は、コイル５１０の第二端Ａ２と第一スイッチＫ５１との間に設置され、コイル５１０の第一端Ａ１と第二端Ａ２との間のコイルと協同して、電磁信号を第一電圧の第一ＡＣに変換して出力し；マッチングモジュール５７０２は、コイル５１０の中間タップＡ３１と第二スイッチＫ５２との間に設置され、コイル５１０の第一端Ａ１と中間タップＡ３１との間のコイルと協同して、電磁信号を第二電圧の第二ＡＣに変換して出力し；．．．；マッチングモジュール５７０（Ｎ＋１）は、コイル２１０の中間タップＡ３Ｎと第二スイッチＫ５２Ｎとの間に設置され、コイル２１０の第一端Ａ１と中間タップＡ３Ｎとの間のコイルと協同して、電磁信号を第Ｎ＋１電圧の第Ｎ＋１ＡＣに変換して出力する。複数のマッチングモジュール５７０によって、電磁信号を異なる電圧のＡＣに変換することができ、設計が簡単である。
【００８７】
上述した実施形態において、各々のマッチングモジュールは、対応するスイッチの反対側に設置されてもよく、具体的にはここでは限定されない。なお、本出願の実施形態は、マッチングモジュール５７０の具体的な形態を限定しない。いくつかの実施形態において、図８又は図９に示されたように、マッチングモジュール５７０はキャパシターであることができる。
【００８８】
本出願の実施形態に係わる無線充電受信装置は、コイルに少なくとも１つの中間タップを追加し、且つ少なくとも１つの第二スイッチを追加することにより、被充電機器（移動端末など）に異なる無線充電モードを提供することができ、被充電装置は２つ以上の無線充電方案と互換性があることができ、従って被充電機器の充電はより便利になる。
【００８９】
本発明の実施形態において、被充電機器は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子装置を備えるが、それに限定されるものではない。また、本発明の実施形態において、被充電機器又は端末は、パワーバンク（ｐｏｗｅｒ ｂａｎｋ）を備えることができる。このパワーバンクは、アダプタによって充電されることができ、従って他の電子装置に電力を供給するためにエネルギーを蓄積することができる。
【００９０】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部又は一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ ｖｉｄｅｏ ｄｉｓｃ，ＤＶＤ）である）、又は半導体媒体（例えば、ソリッドステートディスク（ｓｏｌｉｄ ｓｔａｔｅ ｄｉｓｋ，ＳＳＤ）である）などであることができる。
【００９１】
本出願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【００９２】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【００９３】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【００９４】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【００９５】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【図１】
2021524221.tif 000003
【図２】
2021524221.tif 000004
【図３】
2021524221.tif 000005
【図４】
2021524221.tif 000006
【図５】
2021524221.tif 000007
【図６】
2021524221.tif 000008
【図７】
2021524221.tif 000009
【図８】
2021524221.tif 000010
【図９】
2021524221.tif 000011
【手続補正書】
【提出日】令和2年11月12日(2020.11.12)
【手続補正１】
【補正対象書類名】明細書
【補正対象項目名】全文
【補正方法】変更
【補正の内容】
【発明の詳細な説明】
【技術分野】
【０００１】
本発明は、無線充電技術分野に関し、さらに具体的に、無線充電受信装置、移動端末及び別の無線充電受信装置に関する。
【背景技術】
【０００２】
現在、充電技術分野では、被充電機器は主に有線充電方式で充電されている。
【０００３】
携帯電話を例に挙げると、現在、携帯電話は依然として主に有線充電方式で充電されている。具体的には、携帯電話を充電することを必要とする場合、ユニバーサルシリアルバス（ｕｎｉｖｅｒｓａｌ ｓｅｒｉａｌ ｂｕｓ，ＵＳＢ）ケーブルなどの充電ケーブルによって携帯電話と電源装置を接続することができ、且つこの充電ケーブルによって電源装置の出力電力を携帯電話に伝送して、携帯電話のバッテリを充電する。
【０００４】
被充電機器にとって、有線充電方式は充電ケーブルを使用することを必要とするので、充電準備段階の作業が煩雑になる。従って、無線充電方式は、ユーザーの間で人気が高まっている。しかしながら、従来の無線充電方式の互換性は比較的に低いので、改善する必要がある。
【発明の概要】
【０００５】
本出願の第一態様において、無線充電受信装置が提供される。無線充電受信装置は、コイルと、第一整流ユニットと、第二整流ユニットと、充電ユニットと、を含む。コイルは、第一端、第二端及び中間タップを含み、第一端と第二端と間のコイルは第一電圧を提供し、第一端と中間タップとの間のコイルは第二電圧を提供する。第一整流ユニットはコイルの第一端及び第二端に接続され、第一無線充電モードに適合するように、第一整流ユニットの作動電圧と第一電圧とが協力する。第二整流ユニットはコイルの第一端及び中間タップに接続され、第二無線充電モードに適合するように、第二整流ユニットの作動電圧と第二電圧とが協力する。充電ユニットは、第一整流ユニット及び第二整流ユニットに接続され、第一整流ユニット又は第二整流ユニットを選択してバッテリを充電するために用いられる。
【０００６】
本出願の第二態様において、別の無線充電受信装置が提供される。無線充電受信装置は、コイルと、第一スイッチと、第二スイッチと、整流ユニットと、充電ユニットと、制御ユニットと、を含む。コイルは、第一端、第二端及び中間タップを含み、第一端と第二端と間のコイルは第一電圧を提供し、第一端と中間タップとの間のコイルは第二電圧を提供する。第一スイッチはコイルの第二端に接続され、第二スイッチはコイルの中間タップに接続される。整流ユニットは別々に第一スイッチ及び第二スイッチに接続され、第一無線充電モードに適合するように、整流ユニットの作動電圧と第一電圧とが協力し、第二無線充電モードに適合するように、整流ユニットの作動電圧と第二電圧とが協力する。充電ユニットは、整流ユニットに接続されて、バッテリを充電する。制御ユニットは、第一スイッチ及び第二スイッチを制御するために用いられる。
【０００７】
本出願の第三態様において、移動端末が提供される。移動端末は、バッテリと、コイルと、第一整流ユニットと、第二整流ユニットと、充電ユニットと、を含む。コイルは、第一端、第二端及び中間タップを含み、第一端と第二端と間のコイルは第一電圧を提供し、第一端と中間タップとの間のコイルは第二電圧を提供する。第一整流ユニットはコイルの第一端及び第二端に接続され、第一無線充電モードに適合するように、第一整流ユニットの作動電圧と第一電圧とが協力する。第二整流ユニットはコイルの第一端及び中間タップに接続され、第二無線充電モードに適合するように、第二整流ユニットの作動電圧と第二電圧とが協力する。充電ユニットは、第一整流ユニット及び第二整流ユニットに接続され、第一整流ユニット又は第二整流ユニットを選択してバッテリを充電するために用いられる。
【図面の簡単な説明】
【０００８】
本出願の上記及び/又は追加された様態及び利点は、以下の添付された図面を参照して実施形態を説明することにより、明らかになり、理解し易くなる。
【図１】図１は、従来の無線充電システムの構造を示す概略図である。
【図２】図２は、本発明の一実施形態に係わる無線充電受信装置の構造を示す概略図である。
【図３】図３は、本発明の別の実施形態に係わる無線充電受信装置の構造を示す概略図である。
【図４】図４は、本発明のさらに別の実施形態に係わる無線充電受信装置の構造を示す概略図である。
【図５】図５は、本発明のさらに別の実施形態に係わる無線充電受信装置の構造を示す概略図である。
【図６】図６は、本発明の一実施形態に係わる無線充電受信装置の構造を示す概略図である。
【図７】図７は、本発明の別の実施形態に係わる無線充電受信装置の構造を示す概略図である。
【図８】図８は、本発明のさらに別の実施形態に係わる無線充電受信装置の構造を示す概略図である。
【図９】図９は、本発明のさらに別の実施形態に係わる無線充電受信装置の構造を示す概略図である。
【発明を実施するための形態】
【０００９】
本出願の実施形態において、無線充電技術で被充電機器を充電する。無線充電技術は充電ケーブルがなくても電力を伝送することができ、充電準備段階の操作を簡素化することができる。
【００１０】
従来の無線充電技術では、一般的に電源装置（アダプタなど）と無線充電送信装置（無線充電台座など）を接続して、前記無線充電送信装置によって電源装置の出力電力を無線方式（電磁信号又は電磁波など）で被充電機器に送信して、被充電機器に対して無線充電を行う。異なる無線充電原理によって、無線充電方式は主に３つのタイプ、即ち磁気結合（又は電磁誘導）、磁気共鳴、及び無線電波に分けられる。現在、主流の無線充電規格は、ＱＩ規格、ＰＭＡ（ｐｏｗｅｒ ｍａｔｔｅｒｓ ａｌｌｉａｎｃｅ）規格、無線電力アライアンス（ａｌｌｉａｎｃｅ ｆｏｒ ｗｉｒｅｌｅｓｓ ｐｏｗｅｒ，Ａ４ＷＰ）規格を含む。ＱＩ規格及びＰＭＡ規格はいずれも磁気結合方式で無線充電を行う。Ａ４ＷＰ規格は磁気共鳴方式で無線充電を行う。
【００１１】
以下、図１を参照して、従来の無線充電方式を紹介する。
【００１２】
図１に示されたように、無線充電システムは、電源装置１１０と、無線充電送信装置１２０と、被充電機器１３０と、を備える。無線充電送信装置１２０は、例えば、無線充電台座であることができる。被充電機器１３０は、例えば、端末であることができる。
【００１３】
電源装置１１０が無線充電送信装置１２０に接続されると、電源装置１１０の出力電流は無線充電装置１２０に伝送されることができる。無線充電送信装置１２０はその内部の無線送信回路１２１を介して電源装置１１０の出力電流を電磁信号（又は電磁波）に変換して送信することができる。例えば、無線送信回路１２１は電源装置１１０の出力電流を交流電流（ＡＣ）に変換し、且つ送信コイル又は送信アンテナ（図示せず）によって交流電流を電磁信号に変換することができる。
【００１４】
被充電機器１３０は、無線受信回路１３１によって無線送信回路１２１から送信する電磁信号を受信し、且つこの電磁信号を無線受信回路１３１の出力電圧及び出力電流に変換することができる。例えば、無線受信回路１３１は、受信コイル又は受信アンテナ１３１１及び整流回路１３１２を含むことができる。受信コイル又は受信アンテナ１３１１は、無線送信回路１２１から送信する電磁信号を交流電流に変換し、且つ整流回路１３１２によって交流電流に対して整流及び/又はフィルタリングなどの操作を行って、交流電流を無線受信回路１３１の出力電圧と出力電流に変換することができる。
【００１５】
被充電機器１３０内のバッテリ１３３の予想充電電圧及び/又は充電電流を獲得するために、無線受信回路１３１の出力電圧はバッテリ１３３の両端に直接に印加することには適していなく、先ず被充電機器１３０内の変換回路１３２によって変換することを必要とする。
【００１６】
一実施形態として、変換回路１３２は、充電集積回路（ｉｎｔｅｇｒａｔｅｄ ｃｉｒｃｕｉｔ，ＩＣ）のような充電管理ユニットであることができる。バッテリ１３３の充電過程で、変換回路１３２はバッテリ１３３の充電電圧及び/又は充電電流を管理することができる。変換回路１３２は、バッテリ１３３の充電電圧及び/又は充電電流を管理するために、電圧フィードバック機能及び/又は電流フィードバック機能を含むことができる。例えば、バッテリの充電過程は、トリクル充電段階、定電流充電段階及び定電圧充電段階のうちの少なくとも１つを含むことができる。トリクル充電段階において、変換回路１３２は電流フィードバック機能を利用して、トリクル充電段階でバッテリ１３３に流れる電流がバッテリ１３３の予想充電電流の大きさ（例えば、第一充電電流）を満足することにする。定電流充電段階において、変換回路１３２は電流フィードバック機能を利用して、定電流充電段階でバッテリ１３３に流れる電流がバッテリ１３３の予想充電電流の大きさ（例えば、第二充電電流であり、第二充電電流は第一充電電流より大きいことができる）を満足することにする。定電圧充電段階において、変換回路１３２は電圧フィードバック機能を利用して、定電圧充電段階でバッテリ１３３の両端に印加された電圧の大きさがバッテリ１３３の予想充電電圧の大きさを満足することにする。
【００１７】
一実施形態において、無線受信回路１３１の出力電圧がバッテリ１３３の予想充電電圧よりも高い場合、降圧変換後の充電電圧がバッテリ１３３の予想充電電圧需要を満たすように、変換回路１３２は無線受信回路１３１の出力電圧に対して降圧処理を行うことができる。無線受信回路１３１の出力電圧は、例えば、５Ｖの一定電圧であり、バッテリ１３３が単一のセル（リチウムバッテリセルを例に挙げると、単一のセルの充電カットオフ電圧は、一般的に４．２Ｖである）を含む場合、変換回路１３２（例えば、Ｂｕｃｋ降圧回路）は無線受信回路１３１の出力電圧に対して降圧処理を行うことができ、従って降圧してから獲得した充電電圧がバッテリ１３３の予想充電電圧需要を満たすようにする。
【００１８】
他の実施形態において、無線受信回路１３１の出力電圧がバッテリ１３３の予想充電電圧より低い場合、昇圧変換後の充電電圧がバッテリ１３３の予想充電電圧需要を満たすように、変換回路１３２は無線受信回路１３１の出力電圧に対して昇圧処理を行うことができる。無線受信回路１３１の出力電圧は、例えば、５Ｖの一定電圧であり、バッテリ１３３が直列に接続された２つ以上のセル（リチウムバッテリセルを例に挙げると、単一のセルの充電カットオフ電圧は、一般的に４．２Ｖである）を含む場合、変換回路１３２（例えば、Ｂｏｏｓｔ昇圧回路）は無線受信回路１３１の出力電圧に対して昇圧処理を行うことができ、従って昇圧してから獲得した充電電圧がバッテリ１３３の予想充電電圧需要を満たすようにする。
【００１９】
上述したように、従来の無線充電技術において、通常、無線受信回路１３１に受信コイル又は受信アンテナ１３１１及び整流回路１３１２が設置されて、無線送信回路１２１から送信する電磁信号を受信し、且つこの電磁信号をＡＣに変換し、ＡＣに対して整流及び/又はフィルタリングなどの操作を行って、ＤＣを出力してバッテリ１３３を充電する。しかしながら、受信コイル又は受信アンテナ１３１１及び整流回路１３１２は比較的に単一であるので、被充電機器１３０はただ一種の無線充電方案に適用され、例えば、ただ従来のＱＩ規格の無線充電方案に適用され、被充電機器１３０の充電互換性が低いという問題を引き起こす。
【００２０】
上述した問題を解決するために、本出願の実施形態は無線充電受信装置を提供する。無線充電受信装置は、受信コイルに中間タップを追加し（又は受信アンテナに中間位置を追加し）且つ対応する整流ユニットを追加することにより、中間タップ及び対応する整流ユニットによって被充電機器に異なる無線充電モードを提供し、被充電機器が二種以上の無線充電方案を有することにする。例えば、ＱＩ規格に基づく無線充電方案に加えて、高電圧無線充電方案（ＱＩ規格に基づく高電圧低電流の無線充電方案）も採用することができ、従って被充電機器１３０の充電互換性を効果的に向上させることができ、被充電機器の充電がさらに便利になる。
【００２１】
以下、図２を参照して、本出願の実施形態に係わる無線充電受信装置２００に対して詳細に説明する。
【００２２】
図２を参照すると、本出願の実施形態に係わる無線充電受信装置２００は、コイル２１０と、第一整流ユニット２２０と、第二整流ユニット２３０と、充電ユニット２４０と、を含む。
【００２３】
１つの実施形態において、コイル２１０は、無線充電送信装置の無線送信回路によって送信された電磁信号をＡＣに変換するために用いられる。コイル２１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、第一電圧と第二電圧は異なる。つまり、無線充電受信装置２００は無線充電送信装置から送信された電磁信号を受信すると、第一端Ａ１と第二端Ａ２と間のコイルによって電磁信号を第一ＡＣ（電圧は第一電圧である）に変換してバッテリ３００を充電し、第一端Ａ１と中間タップＡ３との間のコイルによって電磁信号を第二ＡＣ（電圧は第二電圧である）に変換してバッテリ３００を充電する。
【００２４】
説明しなければならないことは、図２に示された実施形態において、取替え方式として、コイル２１０はアンテナで替えることができる。コイル２１０第一端Ａ１、第二端Ａ２及び中間タップＡ３は、それぞれアンテナの３つの異なる位置に対応し、３つの異なる位置によって、異なる電圧範囲のＡＣを得ることができる。１つの取替え方式として、異なる周波数帯域での無線充電方式に適用するように、コイル２１０の第一端Ａ１と第二端Ａ２との間のコイルは第一周波数帯域で作動することができ、第一端Ａ１と中間タップＡ３との間のコイルは第二周波数帯域で作動することができる。
【００２５】
１つの実施形態において、第一整流ユニット２２０は、コイル２１０の第一端Ａ１及び第二端Ａ２に接続され、第一無線充電モードに適合するように、第一整流ユニット２２０の作動電圧と第一電圧とが協力する。第二整流ユニット２３０は、コイル２１０の第一端Ａ１及び中間タップＡ３に接続され、第二無線充電モードに適合するように、第二整流ユニット２３０の作動電圧と第二電圧とが協力する。本実施形態の無線充電受信装置２００は異なる無線充電モードをサポートすることができ、即ち、第一無線充電モード及び第二無線充電モードであり、第一無線充電モードは高電圧無線充電モードであり、第二無線充電モードは従来のＱＩ規格の無線充電モードである。
【００２６】
１つの実施形態において、充電ユニット２４０は、第一整流ユニット２２０及び第二整流ユニット２３０に接続され、第一整流ユニット又は第二整流ユニットを選択して被充電機器（移動端末）のバッテリ３００を充電するために用いられる。例えば、第一整流ユニット２２０は第一ＡＣに対応するように設置され、第二整流ユニット２３０は第二ＡＣに対応するように設置される。第一充電モードでバッテリ３００を充電する場合、充電ユニット２４０は第一整流ユニット２２０が作動状態になるように制御し、その結果、第一整流ユニット２２０によって、コイル２１０の第一端Ａ１と第二端Ａ２から出力される第一ＡＣを第一ＤＣに変換して、バッテリ３００を充電する。第二充電モードでバッテリ３００を充電する場合、充電ユニット２４０は第二整流ユニット２３０が作動状態になるように制御し、その結果、第二整流ユニット２３０によって、コイル２１０の第一端Ａ１と中間タップＡ３から出力される第二ＡＣを第二ＤＣに変換して、バッテリ３００を充電する。このようにして、異なる無線充電方式を実現することができ、充電の互換性を効果的に向上させ、充電はさらに便利になる。
【００２７】
本願の実施形態は、第一整流ユニット２２０及び第二整流ユニット２３０の具体的な形態を限定しないことに留意されたい。いくつかの実施形態において、第一整流ユニット２２０及び第二整流ユニット２３０は、整流回路及びフィルタ回路を含むことができ、フィルタ回路によって整流回路から出力される直流電流をフィルタリングして、安定した直流電流を獲得する。そして、第一整流ユニット２２０及び第二整流ユニット２３０の一方が作動すると、第一整流ユニット２２０及び第二整流ユニット２３０の他方は作動を停止する。換言すると、現在必要とする無線充電モードに基づいて対応する整流ユニットを選択して作動するようにして、バッテリ３００を充電し、他の整流ユニットは作動状態を停止して、他の整流ユニットが作動して後続の回路を損傷することを免れる。
【００２８】
本出願の実施形態において、無線充電受信装置２００は第一無線充電モード又は第二無線充電モードを無差別に採用して被充電機器を充電することではなく、即ち、充電ユニット２４０は第一整流ユニット２２０又は第二整流ユニット２３０を無差別に採用してバッテリ３００を充電することではなく、現在の無線充電モードを決定するために無線充電送信装置と通信する。
【００２９】
いくつかの実施形態において、図３に示されたように、無線充電受信装置２００はモード判断ユニット２５０をさらに含む。モード判断ユニット２５０は、無線充電送信装置４００と通信して現在の無線充電モードを獲得するために用いられる。具体的には、モード判断ユニット２５０は第一無線通信ユニット（図示せず）を含み、第一無線通信ユニットは、無線充電送信装置４００内の第二無線通信ユニット（図示せず）と無線通信を行って現在の無線充電モードを獲得し、且つ獲得した無線充電モードを充電ユニット２４０に伝送する。充電ユニット２４０は、受信した無線充電モードに基づいて、第一整流ユニット２２０又は第二整流ユニット２３０を選択して、バッテリ３００を充電する。
【００３０】
いくつかの実施形態において、モード判断ユニット２５０と無線充電送信装置４００（又は第一無線通信ユニットと第二無線通信ユニット）との間の無線通信は、双方向無線通信であることができる。双方向無線通信は、通常、受信者は発信者によって開始された通信要求を受信すると、発信者に応答メッセージを送信すること要求する。双方向通信メカニズムによって、通信過程はさらに安全になる。なお、本出願の実施形態は受信者及び発信者を限定しなく、いかなる一方は発信者又は受信者であることができ、且つ受信者と発信者との間の無線通信方式を限定しなく、例えば、例えば、ブルートゥース（ｂｌｕｅｔｏｏｔｈ）、無線忠実度（ｗｉｒｅｌｅｓｓ ｆｉｄｅｌｉｔｙ，Ｗｉ − Ｆｉ）、又は後方散乱（ｂａｃｋｓｃａｔｔｅｒ）変調（又は電力負荷変調）に基づいて無線通信を行うことができる。
【００３１】
いくつかの実施形態において、充電ユニット２４０は、降圧回路を含むことができる。降圧回路は、整流ユニット（充電ユニット２４０に接続された第一整流ユニット２２０又は第二整流ユニット２３０である）が出力するＤＣを降圧させて、第一充電電圧と第一充電電流を取得するために用いられる。第一充電電圧及び第一充電電流はバッテリ３００の予想充電電圧及び予想充電電流であることができ、バッテリ３００に直接印加することができる。
【００３２】
いくつかの実施形態において、充電ユニット２４０は、変換回路をさらに含むことができる。変換回路は、整流ユニットが出力するＤＣに対して電圧制御を行って、第二充電電圧及び第二充電電流を取得し、バッテリ３００を充電するために用いられる。変換回路は、電圧を安定化するために用いられる回路と、定電流及び定電圧を制御するために用いられる回路を含むことができる。電圧を安定化するために用いられる回路は整流ユニットに接続され、定電流及び定電圧を制御するために用いられる回路はバッテリ３００に接続される。
【００３３】
いくつかの実施形態において、変換回路によってバッテリ３００を充電するとき、無線充電送信装置４００は従来のＱＩ規格の無線充電モードで無線充電受信装置２００に対して無線充電することができる。この場合、モード判断ユニット２５０は、受信された無線充電送信装置４００から送信された従来のＱＩ規格の無線充電モードを充電ユニット２４０に伝送する。充電ユニット２４０は、第二整流ユニット２３０が作動するように制御する。その結果、第二整流ユニット２３０は、コイル２１０の第一端Ａ１及び中間タップＡ３から出力される第二ＡＣを第二ＤＣに変換する。第二ＤＣは変換回路によって変換されてから、バッテリ３００を充電する。
【００３４】
しかしながら、変換回路によってバッテリ３００を充電するとき、例えば、無線充電送信装置４００が２０Ｗの電力を出力して単一のセルを含むバッテリ３００を充電するとき、無線送信ユニット４２０の入力電圧は５Ｖ、入力電流は４Ａであることを必要とするが、入力電流が４Ａである場合、コイルの発熱を招く、充電効率が低下である。降圧回路を採用して単一のセルを含むバッテリ３００を充電するとき、無線送信ユニットの送信電力が変化しない場合（２０Ｗ）、無線送信ユニット４２０の入力電圧を高めることができ、無線送信ユニット４２０の入力電流を低減することができ、従ってコイルの発熱を減少し、充電効率が向上する。この場合、無線充電送信装置４００は高電圧低電流の無線充電モードを採用し、即ち高電圧無線充電モードであり、これに対応して、モード判断ユニット２５０は、受信された無線充電送信装置４００から送信された高電圧無線充電モードを充電ユニット２４０に伝送する。充電ユニット２４０は、第一整流ユニット２２０が作動するように制御する。その結果、第一整流ユニット２２０は、コイル２１０の第一端Ａ１及び第二端Ａ２から出力される第一ＡＣを第一ＤＣに変換する。第一ＤＣは降圧回路によって降圧されてから、バッテリ３００を充電する。
【００３５】
いくつかの実施形態において、降圧回路は様々な実現形式がある。例えば、降圧回路はＢｕｃｋ回路であることができ、又は降圧回路はチャージポンプ（ｃｈａｒｇｅ ｐｕｍｐ）であることができる。チャージポンプは複数のスイッチング素子から構成され、スイッチング素子に電流が流れて発生する熱は非常に小さく、電流が直接に配線に流れることとほぼ同等であるので、チャージポンプを降圧回路として使用する場合、降圧効果を達成することができるだけではなく、発熱も少ない。１つの例示として、降圧回路は、半電圧回路であることができる。降圧回路の発熱をさらに低減するために、降圧回路の入力電圧と出力電圧の比率は２：１に固定される。
【００３６】
いくつかの実施形態において、無線充電送信装置４００は、電圧変換ユニット４３０を含むことができる。電圧変換ユニット４３０は、無線送信ユニット４２０に供給される電流の電圧が予め設定された条件を満たさない場合、無線送信ユニット４２０に供給される電流に対して電圧変換するために用いられる。電圧変換ユニット４３０の昇圧倍数と降圧回路の降圧倍数は、電源装置が提供できる出力電圧、バッテリ３００が必要とする充電電圧などのパラメータに応じて設定され、両者は同じでもよく、異なってもよく、これに対して限定しない。１つの例示として、電圧変換ユニット４３０の昇圧倍数と降圧回路の降圧倍数を等しく設定することができる。例えば、電圧変換ユニット４３０は電源装置の出力電圧を２倍に昇圧するための昇圧回路であることができ、降圧回路は、整流ユニットの出力電圧を半分に減らす半電圧回路であることができる。
【００３７】
いくつかの実施形態において、電圧変換ユニット４３０の昇圧倍数と降圧回路の降圧倍数の比を１：１に設定することができ、このような設定方式によって、降圧回路の出力電圧及び出力電流はそれぞれ電源装置の出力電圧及び電源装置の出力電流と等しく、制御回路を簡素化することに有利である。一例として、バッテリ３００が必要とする充電電流は５Ａである場合、無線充電送信装置４００は検出回路によって降圧回路の出力電流が４．５Ａであることを知ると、降圧回路の出力電流が５Ａに達するように、電源装置の出力電力を調整することを必要とする。もし電圧変換ユニット４３０の昇圧倍数と降圧回路の降圧倍数の比が１：１ではないと、電源装置の出力電力を調整する際、降圧回路の現在の出力電流と期待値との間の差に基づいて、電源装置の出力電力の調整値を再び計算することを必要とする。本発明の実施形態は、電圧変換ユニット４３０の昇圧倍数と降圧回路の降圧倍数の比を１：１に設定すると、無線充電受信装置２００は無線充電送信装置４００の制御ユニット４１０に出力電流を５Ａに増加させるように通知し、従って無線充電経路のフィードバック調整方式が簡単になる。
【００３８】
いくつかの実施形態において、検出回路（図示せず）によって充電ユニット２４０から出力される充電電圧及び/又は充電電流を検出することができ、且つ充電ユニット２４０から出力される充電電圧及び/又は充電電流をモード判断ユニット２５０に伝送して、モード判断ユニット２５０によって充電ユニット２４０から出力される充電電圧及び/又は充電電流を無線充電送信装置４００にフィードバックするようにする。このように、無線充電送信装置４００は、フィードバックされた充電電圧及び/又は充電電流に応じて、無線送信回路の送信電力を調整することができ、即ち無線充電モードを調整することができる。
【００３９】
いくつかの実施形態において、無線充電受信装置２００及び無線充電送信装置４００は、無線送信ユニット４２０の送信電力を調整するために用いられる他の情報を交換することができ、例えば、バッテリ３００温度情報、降圧回路に対応する充電回路の電圧及び/又は電流のピーク値又は平均値を示す情報、電力伝送効率情報などである。
【００４０】
例えば、無線充電受信装置２００は、無線充電送信装置４００に電力伝送効率情報を送信することができる。無線充電送信装置４００は、さらに電力伝送効率情報に基づいて無線送信ユニット４２０の送信電力の調整範囲を確定するために用いられる。具体的には、電力伝送効率情報が無線送信ユニット４２０とコイル２１０との間の電力伝送効率が低いことを示す場合、無線充電送信装置４００は、無線送信ユニット４２０の送信電力の調整範囲を上げることができ、その結果、無線送信ユニット４２０の送信電力が速やかに目標送信電力に到達するようにする。
【００４１】
別の例として、整流ユニットの出力電圧及び/又は出力電流が脈動波形である場合、無線充電受信装置２００は無線充電送信装置４００に降圧回路に対応する充電回路の出力電圧及び/又は出力電流のピーク値又は平均値を示す情報を送信することができ、無線充電送信装置４００は降圧回路に対応する充電回路の出力電圧及び/又は出力電流のピーク値又は平均値がバッテリ３００の現在需要とする充電電圧及び/又は充電電流と一致するか否かを判断することができ、もし一致しないと、無線送信ユニット４２０の送信電力を調整することができる。
【００４２】
別の例として、無線充電受信装置２００は、無線充電送信装置４００にバッテリ３００の温度情報を送信することができる。バッテリ３００の温度が高すぎる場合、無線充電送信装置４００は無線送信ユニット４２０の送信電力を低減して、無線受信ユニット４２０の出力電流を減少することができ、従ってバッテリ３００の温度を低減する。
【００４３】
いくつかの実施形態において、無線充電受信装置２００と無線充電送信装置４００は、多い他の通信情報を交換することもできる。一例として、無線充電受信装置２００と無線充電送信装置４００は、安全保護、異常検出、又は故障処理に使用される情報を交換することができ、例えば、バッテリ３００の温度情報、過電圧保護又は過電流保護に入ることを指示する情報、電力伝送効率情報などである。電力伝送効率情報は、無線送信ユニット４２０とコイル２１０との間の電力伝送効率、コイル２１０と整流ユニットとの間の電力伝送効率を示すために用いられる。
【００４４】
例えば、バッテリ３００の温度が高い過ぎる場合、無線充電受信装置２００及び/又は無線充電送信装置４００は充電回路が保護状態に入るように制御することができ、例えば、充電回路を制御して無線充電を停止する。別の例では、無線充電送信装置４００は、無線充電受信装置２００から送信された過電圧保護又は過電流保護を示す情報を受信してから、送信電力を低減するか又は無線送信ユニット４２０が作動を停止するように制御することができる。さらに別の例では、無線充電送信装置４００は、無線充電受信装置２００から送信された電力伝送効率情報を受信してから、もし電力伝送効率が予め設定された閾値より低い場合、無線送信ユニット４２０が作動を停止するように制御し、ユーザーにこの事件を通知することができ、例えば、ディスプレイスクリーンによって電力伝送効率が低い過ぎると表示するか、又は指示ランプによって電力伝送効率が低い過ぎると指示して、ユーザーが無線充電環境を調整するようにする。
【００４５】
選択的に、いくつかの実施形態において、図３に示されたように、無線充電受信装置２００は、第一スイッチＫ２１、第二スイッチＫ２２及び制御ユニット２６０をさらに含む。第一スイッチＫ２１及び第二スイッチＫ２２は、それぞれ第一整流ユニット２２０及び第二整流ユニット２３０に接続される。制御ユニット２６０は、現在の無線充電モードに応じて第一スイッチＫ２１又は第二スイッチＫ２２がオン状態になるように制御するために用いられる。
【００４６】
具体的には、モード判断ユニット２５０は現在必要とする無線充電モードを獲得した後、この無線充電モードを充電ユニット２４０及び制御ユニット２６０の両方に伝送することができる。現在必要とする無線充電モードが第一無線充電モードであると仮定すると、コイル２１０の第二端Ａ２が第一整流ユニット２２０に接続されるように、制御ユニット２６０は第一スイッチＫ２１が閉じる（オン状態になる）ように制御する。充電ユニット２４０は、第一整流ユニット２２０が作動するように制御して、バッテリ３００を充電する。同時に、コイル２１０の中間タップＡ３が第二整流ユニット２３０から離れるように、制御ユニット２０１は第二スイッチＫ２２が開かれる（オフ状態になる）ように制御する。従って、第二整流ユニット２３０が誤って作動することを効果的に防止することができ、後段の回路に悪影響を与えることを回避することができる。現在必要とする無線充電モードが第二無線充電モードであると仮定すると、制御ユニット２６０は第二スイッチＫ２２が閉じるように制御する。充電ユニット２４０は、第二整流ユニット２３０が動作するように制御して、バッテリ３００を充電する。同時に、制御ユニット２６０は第一スイッチＫ２１が開かれるように制御して、第一整流ユニット２２０が誤って作動することを効果的に防止することができ、後段の回路に悪影響を与えることを回避することができる。このように、第一スイッチＫ２１及び第二スイッチＫ２２を制御することにより、第一整流ユニット２２０又は第二整流ユニット２３０が誤って作動することを効果的に防止することができ、後段の回路に悪影響を与えず、無線充電受信装置２００の作業時の安全を確保することができる。
【００４７】
なお、本出願の実施形態において、モード判断ユニット２５０及び制御ユニット２６０は、別々に設置されてもよく、充電ユニット２４０に統合されてもよい。充電ユニット２４０は、充電管理ユニットであり、無線充電受信装置２００全体に対する制御、管理等の機能が統合されることができる。
【００４８】
さらに、本出願の実施形態において、コイル２１０の中間タップＡ３及び第二整流ユニット２３０の数量は１つであることができ、複数であることもでき、具体的な数量は限定されない。
【００４９】
いくつかの実施態様において、図４に示されたように、コイル２１０は複数の中間タップを有し、これに対応して複数の第二整流ユニット２３０が提供される。コイル２１０の第一端Ａ１と異なる位置の中間タップ（Ａ３１、．．．、Ａ３Ｎなど）との間のコイルは、異なる電圧を提供する。例えば、コイル２１０の第一端Ａ１と中間タップＡ３１との間のコイルは第二電圧を提供し、．．．、コイル２１０の第一端Ａ１と中間タップＡ３Ｎとの間のコイルは第Ｎ＋１電圧を提供する。第二整流ユニット２３０１はコイル２１０の第一端Ａ１及び中間タップＡ３１に接続され、第二整流ユニット２３０１の作動電圧と第二電圧は配合して、第二無線充電モードに適合するようにする。同様に、第二整流ユニット２３０Ｎはコイル２１０の第一端Ａ１及び中間タップＡ３Ｎに接続され、第二整流ユニット２３０Ｎの作動電圧は第Ｎ＋１電圧と配合して、第Ｎ＋１無線充電モードに適合するようにする。
【００５０】
換言すると、図４に示された実施形態において、コイル２１０はＮ個の中間タップを有し、Ｎ個の第二整流ユニット２３０が含まれる（Ｎ≧２）。コイル２１０の第一端Ａ１、第二端Ａ２と第一整流ユニット２２０は、第一無線充電モード（例えば、高電圧無線充電モードである）と互換性があるように構成され、中間タップＡ３１と第二整流ユニット２３０１は、第二無線充電モードと互換性があるように構成され、．．．、中間タップＡ３Ｎと第二整流ユニット２３０Ｎは、第Ｎ＋１無線充電モード（例えば、従来のＱＩ規格の無線充電モードである）と互換性があるように構成される。無線充電受信装置２００は２つ以上の無線充電モードを提供することができ、被充電機器はさらに多い無線充電方案と互換性があり、充電をより便利にすることができる。なお、中間タップ及び第二整流ユニット２３０がすべて複数である場合、それに対応する充電制御過程は、上記の説明を参照することができ、ここでは繰り返さない。
【００５１】
他の実施形態において、１つの中間タップＡ３及び１つの第二整流ユニット２３０を設置することにより、同様に複数の中間タップ及び複数の第二整流ユニットを設置するときの機能を実現することができ、即ち図３に示された構造で図４が有する機能を実現することができる。この場合、中間タップＡ３は非固定タップであり、即ちコイル２１０の巻数は調整可能である。従って、異なる無線充電モードを採用する場合、制御ユニット２６０は、現在必要とする無線充電モードに基づいて、中間タップＡ３の位置を調整することにより、第一端Ａ１と中間タップＡ３との間のコイル２１０の巻数がちょうど現在の無線充電モードに対応する巻数と等しくなるようにするとともに、現在必要とする無線充電モードに適合するように第二整流ユニット２３０の作動電圧を調整する。このように、１つの中間タップＡ３及び１つの第二整流ユニット２３０によって様々な無線充電モードの要件を満たすことができる。複数の中間タップ及び複数の第二整流ユニットの方案と比較すると、構造が簡単であり、体積が小さく、コストが低い美点を有する。
【００５２】
換言すると、本出願の実施態様において、中間タップＡ３は非固定タップであることができ、即ちコイルの巻数は調整可能である。代わりに、複数の中間タップを設置することができ、即ちコイルの巻数を固定する。どの方式を採用するかは、実際の需要に応じて選択することができる。いくつかの実施形態において、図４に示されたように、無線充電受信装置２００は、さらにマッチングユニット２７０を含むことができる。マッチングユニット２７０は、コイル２１０と協同して受信された電磁信号を異なる電圧のＡＣに変換して出力するために用いられる。
【００５３】
選択的に、いくつかの実施形態において、図４に示されたように、マッチングユニット２７０は、第一整流ユニット２２０及び少なくとも１つの第二整流ユニット２３０の入力側の共通結合点の前に設置されることができる。即ち、第一整流ユニット２２０及び少なくとも１つの第二整流ユニット２３０は１つのマッチングユニット２７０を共有することができる。マッチングユニット２７０はコイル２１０の第一端Ａ１と第二端Ａ２との間のコイルと協同して、電磁信号を第一電圧の第一ＡＣに変換して出力し；マッチングユニット２７０はコイル２１０の第一端Ａ１と中間タップＡ３１との間のコイルと協同して、電磁信号を第二電圧の第二ＡＣに変換して出力し；．．．；マッチングユニット２７０はコイル２１０の第一端Ａ１と中間タップＡ３Ｎとの間のコイルと協同して、電磁信号を第Ｎ＋１電圧の第Ｎ＋１ＡＣに変換して出力する。このように、１つのマッチングユニット２７０を使用して、電磁信号を異なる電圧のＡＣに変換することができ、ハードウェア構造が簡単であり、コストが低い。
【００５４】
なお、第一整流ユニット２２０及び少なくとも１つの第二整流ユニット２３０は１つのマッチングユニット２７０を共有する場合、マッチングユニット２７０は異なる電圧要件を満たすことを必要とするので、マッチングユニット２７０を設計し難い。従って複数のマッチングユニット２７０を提供して、設計の困難さを低減することができる。
【００５５】
選択的に、他の実施形態において、図５に示されたように、複数のマッチングユニット２７０が設置され、複数のマッチングユニット２７０のそれぞれは、コイル２１０の第一端Ａ１と対応する整流ユニットとの間に設置されている。例えば、マッチングユニット２７０１は、コイル２１０の第一端Ａ１と第一整流ユニット２２０との間に設置され、コイル２１０の第一端Ａ１と第二端Ａ２との間のコイルと協同して、電磁信号を第一電圧の第一ＡＣに変換して出力し；マッチングユニット２７０２は、コイル２１０の第一端Ａ１と第二整流ユニット２３０１との間に設置され、コイル２１０の第一端Ａ１と中間タップＡ３１との間のコイルと協同して、電磁信号を第二電圧の第二ＡＣに変換して出力し；．．．；マッチングユニット２７０（Ｎ＋１）は、コイル２１０の第一端Ａ１と第二整流ユニット２３０Ｎとの間に設置され、コイル２１０の第一端Ａ１と中間タップＡ３Ｎとの間のコイルと協同して、電磁信号を第Ｎ＋１電圧の第Ｎ＋１ＡＣに変換して出力する。複数のマッチングユニット２７０によって、電磁信号を異なる電圧のＡＣに変換することができ、設計が簡単である。
【００５６】
本出願の実施形態は、マッチングユニット２７０の具体的な形態を限定しない。いくつかの実施形態において、図４又は図５に示されたように、マッチングユニット２７０はキャパシターであることができる。
【００５７】
本出願の実施形態に係わる無線充電受信装置は、コイルに少なくとも１つの中間タップを追加し且つ少なくとも１つの整流ユニットを追加して被充電機器（例えば、移動端末である）に異なる無線充電モードを提供し、従って被充電機器が二種以上の無線充電方案を有することができ、被充電機器の充電がさらに便利になる。
【００５８】
上述した問題を解決するために、本出願の実施形態は別の無線充電受信装置を提供する。無線充電受信装置では、受信コイルに中間タップを追加し（又は受信アンテナに中間位置を追加し）且つ対応する制御スイッチを追加することにより、中間タップ及び対応する制御スイッチによって被充電機器に異なる無線充電モードを提供し、被充電機器が二種以上の無線充電方案を有することにする。例えば、従来のＱＩ規格に基づく無線充電方案に加えて、高電圧無線充電方案も採用することができ、従って被充電機器の充電互換性を効果的に向上させることができ、被充電機器の充電がさらに便利になる。
【００５９】
以下、図６を参照して、本出願の実施形態に係わる無線充電受信装置５００に対して詳しく説明する。
【００６０】
図６に示されたように、本出願の実施形態に係わる無線充電受信装置５００は、コイル５１０と、第一スイッチＫ５１と、第二スイッチＫ５２と、整流ユニット５２０と、充電ユニット５４０と、制御ユニット５６０と、を含む。
【００６１】
コイル５１０は、第一端Ａ１、第二端Ａ２及び中間タップＡ３を含み、第一端Ａ１と第二端Ａ２と間のコイルは第一電圧を提供し、第一端Ａ１と中間タップＡ３との間のコイルは第二電圧を提供し、具体的には上述した説明を参照することができ、ここでは繰り返さない。
【００６２】
第一スイッチＫ５１はコイル５１０の第二端Ａ２に接続され、第二スイッチＫ５２はコイル５１０の中間タップＡ３に接続される。整流ユニット５２０は第一スイッチＫ５１及び第二スイッチＫ５２に接続され、第一無線充電モードに適合するように、整流ユニット５２０の作動電圧と第一電圧とが協力し、第二無線充電モードに適合するように、整流ユニット５２０の作動電圧と第二電圧とが協力する。バッテリ３００に電力を供給するように、充電ユニット５４０は整流ユニット５２０に接続される。制御ユニット５６０は、第一スイッチＫ５１及び第二スイッチＫ５２を制御するために用いられる。本実施形態及び図２に示された実施形態を比較すると、異なる無線充電モードをサポートすることができる点で同じであり、本実施形態はただ１つの整流ユニット５２０だけで異なる無線充電モードを実現することができる点で異なる。
【００６３】
具体的には、図６に示されたように、第一無線充電モードでバッテリ３００を充電する場合、コイル５１０の第二端Ａ２が整流ユニット５２０に接続されるように、制御ユニット５６０は、第一スイッチＫ５１が閉じるように制御し、且つ第二スイッチＫ５２が開かれるように制御する。このとき、コイル５１０の第一端Ａ１及び第二端Ａ２から出力される第一ＡＣは、整流ユニット５２０に伝送される。充電ユニット５４０は整流ユニット５２０が第一作動状態になるように制御して、整流ユニット５２０は第一ＡＣを第一ＤＣに変換して、バッテリ３００を充電する。第二無線充電モードでバッテリ３００を充電する場合、コイル５１０の中間タップＡ３が整流ユニット５２０に接続されるように、制御ユニット５６０は、第一スイッチＫ５１が開かれるように制御し、且つ第二スイッチＫ５２が閉じるように制御する。このとき、コイル５１０の第一端Ａ１及び中間タップＡ３から出力される第二ＡＣは、整流ユニット５２０に伝送される。充電ユニット５４０は整流ユニット５２０が第二作動状態になるように制御して、整流ユニット５２０は第二ＡＣを第二ＤＣに変換して、バッテリ３００を充電する。このようにして、第一スイッチＫ５１及び第二スイッチＫ５２によって、１つの整流ユニット５２０のみで異なる無線充電モードを実現し、異なる無線充電方案の要件を満たすことができ、充電互換性を効果的に向上させることができ、充電がより便利になる。図２に示された実施形態と比較すると、整流ユニットの使用数量を減らすことができ、コストを節約する。
【００６４】
なお、本願の実施形態において、無線充電受信装置５００は第一無線充電モード又は第二無線充電モードを無差別に採用して被充電機器を充電することではなく、即ち、制御ユニット５６０は第一スイッチＫ５１又は第二スイッチＫ５２を無差別にオン状態になるように制御することではなく、現在の無線充電モードを決定するために無線充電送信装置と通信する。
【００６５】
いくつかの実施形態において、 図７に示されたように、無線充電受信装置５００は、現在の無線充電モードを獲得するように無線充電送信装置と通信するモード判断ユニット５５０をさらに含む。具体的には、前述の説明を参照することができ、ここでは繰り返さない。
【００６６】
モード判断ユニット５５０及び制御ユニット５６０は、別々に設置されてもよく、充電ユニット５４０に統合されてもよい。充電ユニット５４０は、充電管理ユニットであり、無線充電受信装置５００全体に対する制御、管理等の機能が統合されることができる。
【００６７】
さらに、本出願の実施形態において、コイル５１０の中間タップＡ３及び第二スイッチＫ５２の数量は１つであることができ、複数であることもでき、具体的な数量は限定されない。
【００６８】
いくつかの実施形態において、図８に示されたように、コイル５１０は複数の中間タップを有し、これに対応して複数の第二スイッチが提供される。コイル５１０の第一端Ａ１と異なる位置の中間タップ（Ａ３１、．．．、Ａ３Ｎなど）との間のコイルは、異なる電圧を提供する。例えば、コイル５１０の第一端Ａ１と中間タップＡ３１との間のコイルは第二電圧を提供し、．．．、コイル５１０の第一端Ａ１と中間タップＡ３Ｎとの間のコイルは第Ｎ＋１電圧を提供する。第二スイッチＫ５２１はコイル５１０の中間タップＡ３１及び整流ユニット５２０に接続され、第二スイッチＫ５２１が閉じているとき、第二無線充電モードに適合するように、整流ユニット５２０の作動電圧と第二電圧は配合し、．．．、第二スイッチＫ５２Ｎはコイル５１０の中間タップＡ３Ｎ及び整流ユニット５２０接続され、第二スイッチＫ５２Ｎが閉じているとき、第Ｎ＋１無線充電モードに適合するように、整流ユニット５２０の作動電圧と第Ｎ＋１電圧は配合する。
【００６９】
換言すると、図８に示された実施形態において、コイル５１０はＮ個の中間タップを有し、Ｎ個の第二スイッチが含まれる（Ｎ≧２）。コイル５１０の第一端Ａ１、第二端Ａ２と整流ユニット５２０は、第一無線充電モード（例えば、高電圧無線充電モードである）と互換性があるように構成され、中間タップＡ３１及び第二スイッチＫ５２１は、第二無線充電モードと互換性があるように構成され、．．．、中間タップＡ３Ｎと第二スイッチＫ５２Ｎは、第Ｎ＋１無線充電モード（例えば、従来のＱＩ規格の無線充電モードである）と互換性があるように構成される。無線充電受信装置５００は２つ以上の無線充電モードを提供することができ、被充電機器はさらに多い無線充電方案と互換性があり、充電をより便利にすることができる。なお、中間タップ及び第二スイッチがすべて複数である場合、それに対応する充電制御過程は、上記の説明を参照することができ、ここでは繰り返さない。
【００７０】
他の実施形態において、１つの中間タップＡ３を設置することにより、同様に複数の中間タップを設置するときの機能を実現することができ、即ち図７に示された構造で図８が有する機能を実現することができる。この場合、中間タップＡ３は非固定タップであり、即ちコイル５１０の巻数は調整可能である。従って、異なる無線充電モードを採用する場合、制御ユニット５６０は、現在必要とする無線充電モードに基づいて、中間タップＡ３の位置を調整することにより、第一端Ａ１と中間タップＡ３との間のコイル５１０の巻数がちょうど現在の無線充電モードに対応する巻数と等しくなるようにするとともに、現在必要とする無線充電モードに適合するように整流ユニット５２０の作動電圧を調整する。このように、１つの中間タップＡ３によって様々な無線充電モードの要件を満たすことができる。複数の中間タップの方案と比較すると、構造が簡単であり、体積が小さく、コストが低い美点を有する。
【００７１】
換言すると、本出願の実施態様において、中間タップＡ３は非固定タップであることができ、即ちコイルの巻数は調整可能である。代わりに、複数の中間タップを設置することができ、即ちコイルの巻数を固定する。どの方式を採用するかは、実際の需要に応じて選択することができる。いくつかの実施形態において、図８に示されたように、無線充電受信装置５００はマッチングユニット５７０を含むことができる。マッチングユニット５７０は、コイル５１０と協同して受信された電磁信号を異なる電圧のＡＣに変換して出力するために用いられる。
【００７２】
選択的に、いくつかの実施形態において、図８に示されたように、マッチングユニット５７０は、コイル５１０の第一端Ａ１と整流ユニット５２０との間に設置されることができる。マッチングユニット５７０はコイル５１０の第一端Ａ１と第二端Ａ２との間のコイルと協同して、電磁信号を第一電圧の第一ＡＣに変換して出力し；マッチングユニット５７０はコイル５１０の第一端Ａ１と中間タップＡ３１との間のコイルと協同して、電磁信号を第二電圧の第二ＡＣに変換して出力し；．．．；マッチングユニット５７０はコイル５１０の第一端Ａ１と中間タップＡ３Ｎとの間のコイルと協同して、電磁信号を第Ｎ＋１電圧の第Ｎ＋１ＡＣに変換して出力する。このように、１つのマッチングユニット５７０を使用して、電磁信号を異なる電圧のＡＣに変換することができ、ハードウェア構造が簡単であり、コストが低い。
【００７３】
上述した実施形態において、マッチングユニット５７０は異なる電圧要件を満たすことを必要とするので、マッチングユニット５７０を設計し難い。従って複数のマッチングユニット５７０を提供して、設計の困難さを低減することができる。
【００７４】
選択的に、他の実施形態において、図９に示されたように、複数のマッチングユニット５７０が設置され、その中において、マッチングユニット５７０１は、コイル５１０の第二端Ａ２と第一スイッチＫ５１との間に設置され、コイル５１０の第一端Ａ１と第二端Ａ２との間のコイルと協同して、電磁信号を第一電圧の第一ＡＣに変換して出力し；マッチングユニット５７０２は、コイル５１０の中間タップＡ３１と第二スイッチＫ５２との間に設置され、コイル５１０の第一端Ａ１と中間タップＡ３１との間のコイルと協同して、電磁信号を第二電圧の第二ＡＣに変換して出力し；．．．；マッチングユニット５７０（Ｎ＋１）は、コイル２１０の中間タップＡ３Ｎと第二スイッチＫ５２Ｎとの間に設置され、コイル２１０の第一端Ａ１と中間タップＡ３Ｎとの間のコイルと協同して、電磁信号を第Ｎ＋１電圧の第Ｎ＋１ＡＣに変換して出力する。複数のマッチングユニット５７０によって、電磁信号を異なる電圧のＡＣに変換することができ、設計が簡単である。
【００７５】
上述した実施形態において、各々のマッチングユニットは、対応するスイッチの反対側に設置されてもよく、具体的にはここでは限定されない。なお、本出願の実施形態は、マッチングユニット５７０の具体的な形態を限定しない。いくつかの実施形態において、図８又は図９に示されたように、マッチングユニット５７０はキャパシターであることができる。
【００７６】
本出願の実施形態に係わる無線充電受信装置は、コイルに少なくとも１つの中間タップを追加し、且つ少なくとも１つの第二スイッチを追加することにより、被充電機器（移動端末など）に異なる無線充電モードを提供することができ、被充電装置は２つ以上の無線充電方案と互換性があることができ、従って被充電機器の充電はより便利になる。
【００７７】
本発明の実施形態において、移動端末を提供される。この移動端末は、図１に示された被充電機器１３０であることができる。
【００７８】
移動端末は、バッテリと、コイルと、第一整流ユニットと、第二整流ユニットと、充電ユニットと、を含む。コイルは、第一端、第二端及び中間タップを含み、第一端と第二端と間のコイルは第一電圧を提供し、第一端と中間タップとの間のコイルは第二電圧を提供する。第一整流ユニットはコイルの第一端及び第二端に接続され、第一無線充電モードに適合するように、第一整流ユニットの作動電圧と第一電圧とが協力する。第二整流ユニットはコイルの第一端及び中間タップに接続され、第二無線充電モードに適合するように、第二整流ユニットの作動電圧と第二電圧とが協力する。充電ユニットは、第一整流ユニット及び第二整流ユニットに接続され、第一整流ユニット又は第二整流ユニットを選択してバッテリを充電するために用いられる。
【００７９】
移動端末は、モード判断ユニットをさらに含むことができる。モード判断ユニットは、無線充電送信装置と通信して現在の無線充電モードを獲得するために用いられる。
【００８０】
移動端末は、第一スイッチ、第二スイッチ及び制御ユニットをさらに含むことができる。第一スイッチは第一整流ユニットに接続され、第二スイッチは第二整流ユニットに接続される。制御ユニットは、現在の無線充電モードに応じて第一スイッチ又は第二スイッチがオン状態になるように制御するために用いられる。
【００８１】
移動端末は、検出回路をさらに含むことができる。検出回路は、充電ユニットから出力される充電電圧及び/又は充電電流を検出することができ、且つ充電ユニットから出力される充電電圧及び/又は充電電流をモード判断ユニットに伝送して、モード判断ユニットによって充電ユニットから出力される充電電圧及び/又は充電電流を無線充電送信装置にフィードバックするようにする。このように、無線充電送信装置は、フィードバックされた充電電圧及び/又は充電電流に応じて、無線送信回路の送信電力を調整することができ、即ち無線充電モードを調整することができる。
【００８２】
移動端末は、降圧回路をさらに含むことができる。降圧回路は、第一整流ユニットから受信された第一電圧又は第二整流ユニットから受信された第二電圧を降圧させて、バッテリに印加される電圧を降圧させる。
【００８３】
移動端末は、変換回路をさらに含むことができる。変換回路は、第一整流ユニットから受信された第一電圧又は第二整流ユニットから受信された第二電圧に対して電圧制御を行うために用いられる。変換回路は、安定化回路及び制御回路を含むことができる。安定化回路は第一整流ユニット及び第二整流ユニットに接続される。制御回路は、バッテリに接続され、定電流及び定電圧を制御するために用いられる。
【００８４】
移動端末に関する詳細な内容は、上記の図１〜図９に関する内容を参照することができ、ここでは繰り返さない。
【００８５】
本発明の実施形態において、被充電機器は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子装置を備えるが、それに限定されるものではない。また、本発明の実施形態において、被充電機器又は端末は、パワーバンク（ｐｏｗｅｒ ｂａｎｋ）を備えることができる。このパワーバンクは、アダプタによって充電されることができ、従って他の電子装置に電力を供給するためにエネルギーを蓄積することができる。
【００８６】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部又は一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ ｖｉｄｅｏ ｄｉｓｃ，ＤＶＤ）である）、又は半導体媒体（例えば、ソリッドステートディスク（ｓｏｌｉｄ ｓｔａｔｅ ｄｉｓｋ，ＳＳＤ）である）などであることができる。
【００８７】
本出願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【００８８】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【００８９】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【００９０】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【００９１】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【手続補正２】
【補正対象書類名】特許請求の範囲
【補正対象項目名】全文
【補正方法】変更
【補正の内容】
【特許請求の範囲】
【請求項１】
コイルと、第一整流ユニットと、第二整流ユニットと、充電ユニットと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一整流ユニットは前記コイルの第一端及び第二端に接続され、第一無線充電モードに適合するように、前記第一整流ユニットの作動電圧と前記第一電圧とが協力し、
前記第二整流ユニットは前記コイルの第一端及び中間タップに接続され、第二無線充電モードに適合するように前記第二整流ユニットの作動電圧と前記第二電圧とが協力し、
前記充電ユニットは前記第一整流ユニット及び前記第二整流ユニットに接続され、前記第一整流ユニット又は前記第二整流ユニットを選択してバッテリを充電するために用いられる、
ことを特徴とする無線充電受信装置。
【請求項２】
前記無線充電受信装置は、無線充電送信装置と通信して現在の無線充電モードを獲得するために用いられるモード判断ユニットをさらに含む、
ことを特徴とする請求項１に記載の無線充電受信装置。
【請求項３】
前記無線充電受信装置は、第一スイッチ及び第二スイッチと、制御ユニットと、をさらに含み、
前記第一スイッチ及び前記第二スイッチは別々に前記第一整流ユニット及び前記第二整流ユニットに接続され、
前記制御ユニットは現在の無線充電モードに基づいて前記第一スイッチ又は前記第二スイッチがオン状態になるように制御するために用いられる、
ことを特徴とする請求項１に記載の無線充電受信装置。
【請求項４】
前記中間タップの数量は複数であり、前記第二整流ユニットの数量も複数であり、各々の第二整流ユニットは前記第一端及び対応する前記中間タップに接続される、
ことを特徴とする請求項１に記載の無線充電受信装置。
【請求項５】
前記第一整流ユニット及び前記第二整流ユニットの一方が作動すると、前記第一整流ユニット及び前記第二整流ユニットの他方は作動を停止する、
ことを特徴とする請求項１に記載の無線充電受信装置。
【請求項６】
前記中間タップの位置は調整可能である、
ことを特徴とする請求項１に記載の無線充電受信装置。
【請求項７】
前記第一端と前記第二端との間のコイルは第一周波数帯域で作動し、前記第一端と前記中間タップとの間のコイルは前記第一周波数帯域と異なる第二周波数帯域で作動する、
ことを特徴とする請求項１に記載の無線充電受信装置。
【請求項８】
前記無線充電受信装置は、マッチングユニットをさらに含み、
前記マッチングユニットは、前記第一整流ユニット及び前記第二整流ユニットの入力側の共通結合点の前に設置され、前記第一整流ユニット及び前記第二整流ユニットに接続され、前記第一端と前記第二端との間のコイルと協同して、電磁信号を第一電圧の第一ＡＣに変換し、前記第一端と前記中間タップとの間のコイルと協同して、電磁信号を第二電圧の第二ＡＣに変換する、
ことを特徴とする請求項１に記載の無線充電受信装置。
【請求項９】
コイルと、第一スイッチと、第二スイッチと、整流ユニットと、充電ユニットと、制御ユニットと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一スイッチは、前記コイルの第二端に接続され、
前記第二スイッチは、前記コイルの中間タップに接続され、
前記整流ユニットは別々に前記第一スイッチ及び前記第二スイッチに接続され、第一無線充電モードに適合するように、前記整流ユニットの作動電圧と前記第一電圧とが協力し、第二無線充電モードに適合するように、前記整流ユニットの作動電圧と前記第二電圧とが協力し、
前記充電ユニットは、前記整流ユニットに接続されて、バッテリを充電し、
前記制御ユニットは、前記第一スイッチ及び前記第二スイッチを制御するために用いられる、
ことを特徴とする無線充電受信装置。
【請求項１０】
前記無線充電受信装置は、無線充電送信装置と通信して現在の無線充電モードを獲得するために用いられるモード判断ユニットをさらに含む、
ことを特徴とする請求項９に記載の無線充電受信装置。
【請求項１１】
前記現在の無線充電モードが第一無線充電モードである場合、前記制御ユニットは前記第一スイッチがオン状態になるように且つ前記第二スイッチがオフ状態になるように制御し、
前記現在の無線充電モードが第二無線充電モードである場合、前記制御ユニットは前記第一スイッチがオフ状態になるように且つ前記第二スイッチがオン状態になるように制御する、
ことを特徴とする請求項１０に記載の無線充電受信装置。
【請求項１２】
前記中間タップの数量は複数であり、前記第二スイッチの数量も複数であり、各々の第二スイッチは対応する中間タップに接続される、
ことを特徴とする請求項９に記載の無線充電受信装置。
【請求項１３】
前記中間タップの位置は調整可能である、
ことを特徴とする請求項９に記載の無線充電受信装置。
【請求項１４】
前記無線充電受信装置は、マッチングユニットをさらに含み、
前記マッチングユニットは、前記第一端と前記整流ユニットとの間に設置され、前記第一端と前記第二端との間のコイルと協同して、電磁信号を第一電圧の第一ＡＣに変換し、前記第一端と前記中間タップとの間のコイルと協同して、電磁信号を第二電圧の第二ＡＣに変換する、
ことを特徴とする請求項９に記載の無線充電受信装置。
【請求項１５】
バッテリと、コイルと、第一整流ユニットと、第二整流ユニットと、充電ユニットと、を含み、
前記コイルは、第一端、第二端及び中間タップを含み、前記第一端と前記第二端と間のコイルは第一電圧を提供し、前記第一端と前記中間タップとの間のコイルは第二電圧を提供し、
前記第一整流ユニットは前記コイルの第一端及び第二端に接続され、第一無線充電モードに適合するように、前記第一整流ユニットの作動電圧と前記第一電圧とが協力し、
前記第二整流ユニットは前記コイルの第一端及び中間タップに接続され、第二無線充電モードに適合するように前記第二整流ユニットの作動電圧と前記第二電圧とが協力し、
前記充電ユニットは前記第一整流ユニット及び前記第二整流ユニットに接続され、前記第一整流ユニット又は前記第二整流ユニットを選択してバッテリを充電するために用いられる、
ことを特徴とする移動端末。
【請求項１６】
前記移動端末は、無線充電送信装置と通信して現在の無線充電モードを獲得するために用いられるモード判断ユニットをさらに含む、
ことを特徴とする請求項１５に記載の移動端末。
【請求項１７】
前記移動端末は、第一スイッチ及び第二スイッチと、制御ユニットと、をさらに含み、
前記第一スイッチ及び前記第二スイッチは別々に前記第一整流ユニット及び前記第二整流ユニットに接続され、
前記制御ユニットは現在の無線充電モードに基づいて前記第一スイッチ又は前記第二スイッチがオン状態になるように制御するために用いられる、
ことを特徴とする請求項１６に記載の移動端末。
【請求項１８】
前記移動端末は、検出回路をさらに含み、
前記検出回路は、前記充電ユニットから出力される充電電圧又は充電電流を検出し、且つ検出された前記充電電圧又は前記充電電流を前記モード判断ユニットに伝送して、前記モード判断ユニットによって前記充電電圧又は前記充電電流を無線充電送信装置にフィードバックして、無線充電モードを調整する、
ことを特徴とする請求項１６に記載の移動端末。
【請求項１９】
前記充電ユニットは、降圧回路をさらに含み、
前記降圧回路は、前記第一整流ユニットから受信された第一電圧又は前記第二整流ユニットから受信された第二電圧を降圧させて、前記バッテリに印加される電圧を降圧させる、
ことを特徴とする請求項１５に記載の移動端末。
【請求項２０】
前記充電ユニットは、変換回路をさらに含み、
前記変換回路は、前記第一整流ユニットから受信された第一電圧又は前記第二整流ユニットから受信された第二電圧電圧に対して電圧制御を行うために用いられ、
前記変換回路は、安定化回路及び制御回路を含み、前記安定化回路は前記第一整流ユニット及び前記第二整流ユニットに接続され、前記制御回路は、前記バッテリに接続され、定電流及び定電圧を制御するために用いられる、
ことを特徴とする請求項１５に記載の移動端末。
【手続補正３】
【補正対象書類名】図面
【補正対象項目名】全図
【補正方法】変更
【補正の内容】
【図１】
2021524221.tif 000012
【図２】
2021524221.tif 000013
【図３】
2021524221.tif 000014
【図４】
2021524221.tif 000015
【図５】
2021524221.tif 000016
【図６】
2021524221.tif 000017
【図７】
2021524221.tif 000018
【図８】
2021524221.tif 000019
【図９】
2021524221.tif 000020
【国際調査報告】
2021524221.tif 000021
2021524221.tif 000022
2021524221.tif 000023
2021524221.tif 000024